(57)【要約】【課題】目の不自由な人や老眼の人でも使いやすいクリップを提供することである。【解決手段】クリップ１００は、第１湾曲部１１０と第２湾曲部１２０と、第１直線部１３０と第２直線部１４０と、第３直線部１５０と第４直線部１６０と、連結部１７０とを備える。第１湾曲部１１０が第２湾曲部１２０の上に延びて交差することにより、第２直線部１４０の末端縁１４１と第３直線部１５０の末端縁１５１は、第１直線部１３０と第４直線部１６０と連結部１７０とによって取り囲まれた領域内に位置づけられている。第１湾曲部１１０は、長手方向において第２湾曲部１２０とほぼ同じ位置に位置づけられている。第１直線部１３０と第２直線部１４０が上方に曲げられることにより、第１湾曲部１１０は第２湾曲部１２０から離れた上方の位置に位置づけられている。第１直線部１３０と第４直線部１６０は長手方向の他方側にて屈曲部１３２、１６２を有する。【選択図】        図１
2007038428.tif 000002
【特許請求の範囲】
【請求項１】
弾性を有する線材からなるクリップであって、
長手方向の一方側に位置し、線材がほぼＵ字形状に曲げられて形成された第１および第２の湾曲部と、
前記第１の湾曲部の両端から長手方向の他方側に向かって線材が間隔をあけてほぼ直線状に延びるように形成された第１および第２の直線部と、
前記第２の湾曲部の両端から長手方向の他方側に向かって線材が間隔をあけてほぼ直線状に延びるように形成された第３および第４の直線部と、
前記第１の直線部と前記第４の直線部とを長手方向の他方側にて連結し、前記第１の直線部と前記第４の直線部との間の間隔を跨ぐように延びる連結部とを備え、
前記第１の直線部は前記第１の湾曲部から前記連結部に至るまで前記第３の直線部に近接して延び、前記第４の直線部は前記第２の湾曲部から前記連結部に至るまで前記第２の直線部に近接して延びており、
前記第２の直線部と前記第３の直線部は長手方向の他方側にて線材の末端縁を有しており、
前記第１の湾曲部または前記第１の直線部が前記第２の湾曲部または前記第３の直線部の上に延びて交差することにより、前記第２の直線部と前記第３の直線部の末端縁は、前記第１の直線部と前記第４の直線部と前記連結部とによって取り囲まれた領域内に位置づけられており、
前記第１の湾曲部は、長手方向において前記第２の湾曲部とほぼ同じ位置に、または、長手方向において前記第２の湾曲部に近接した位置に位置づけられ、前記第１の直線部と前記第２の直線部が上方に曲げられることにより、前記第１の湾曲部は前記第２の湾曲部から離れた上方の位置に位置づけられており、
前記第１の直線部または前記第４の直線部の少なくともいずれかは長手方向の他方側にて屈曲部を有する、クリップ。
【請求項２】
前記第１の湾曲部と前記第２の湾曲部との間の長手方向の間隔は、線材の直径以下である、請求項１に記載のクリップ。
【請求項３】
前記第１の直線部または前記第４の直線部の少なくともいずれかは、単一の屈曲部を有し、ベース直線部と、前記単一の屈曲部を介して曲げられて前記ベース直線部から上方に延びる斜方直線部とを含み、この斜方直線部に前記連結部は連続している、請求項１または請求項２に記載のクリップ。
【請求項４】
前記第１の直線部または前記第４の直線部の一方は、第１の屈曲部を有し、ベース直線部と、前記第１の屈曲部を介して曲げられて前記ベース直線部から上方に延びる斜め上方直線部とを含み、この斜め上方直線部に前記連結部は連続し、
前記第１の直線部または前記第４の直線部の他方は、第２の屈曲部を有し、ベース直線部と、前記第２の屈曲部を介して曲げられて前記ベース直線部から下方に延びる斜め下方直線部とを含み、この斜め下方直線部に前記連結部は連続している、請求項１または請求項２に記載のクリップ。
【請求項５】
前記第１の直線部または前記第４の直線部の少なくともいずれかは、第１と第２の屈曲部を有し、相対的に下方の平面に位置づけられた下方直線部と、前記第１の屈曲部を介して曲げられて前記下方直線部から上方に延びる斜方直線部と、前記第２の屈曲部を介して曲げられて前記斜方直線部に連続し前記下方平面よりも相対的に上方の平面に位置づけられた上方直線部とを含み、この上方直線部に前記連結部は連続している、請求項１または請求項２に記載のクリップ。
【請求項６】
前記第１の直線部または前記第４の直線部の一方は、第１と第２の屈曲部を有し、相対的に下方の平面に位置づけられた下方直線部と、前記第１の屈曲部を介して曲げられて前記下方直線部から上方に延びる斜め上方直線部と、前記第２の屈曲部を介して曲げられて前記斜め上方直線部に連続し前記下方平面よりも相対的に上方の平面に位置づけられた上方直線部とを含み、この上方直線部に前記連結部は連続し、
前記第１の直線部または前記第４の直線部の他方は、第３と第４の屈曲部を有し、相対的に上方の平面に位置づけられた上方直線部と、前記第３の屈曲部を介して曲げられて前記上方直線部から下方に延びる斜め下方直線部と、前記第４の屈曲部を介して曲げられて前記斜め下方直線部に連続し前記上方平面よりも相対的に下方の平面に位置づけられた下方直線部とを含み、この下方直線部に前記連結部は連続している、請求項１または請求項２に記載のクリップ。
【請求項７】
前記第４の直線部は、第１と第２の屈曲部を有し、相対的に下方の平面に位置づけられた下方直線部と、前記第１の屈曲部を介して曲げられて前記下方直線部から上方に延びる斜め上方直線部と、前記第２の屈曲部を介して曲げられて前記斜め上方直線部に連続し前記下方平面よりも相対的に上方の平面に位置づけられた上方直線部とを含み、この上方直線部に前記連結部は連続し、
前記第１の直線部は、第３と第４の屈曲部を有し、相対的に上方の平面に位置づけられた上方直線部と、前記第３の屈曲部を介して曲げられて前記上方直線部から下方に延びる斜め下方直線部と、前記第４の屈曲部を介して曲げられて前記斜め下方直線部に連続し前記上方平面よりも相対的に下方の平面に位置づけられた下方直線部とを含み、この下方直線部に前記連結部は連続し、
前記連結部は、前記第１の直線部の下方直線部に連続して相対的に上方に旋回する上方旋回部と、この上方旋回部に連続して相対的に下方に旋回した後に前記第４の直線部の上方直線部に連続する下方旋回部とからなる環状部を有する、請求項１または請求項２に記載のクリップ。
【請求項８】
前記第１の直線部は、第１と第２の屈曲部を有し、相対的に下方の平面に位置づけられた下方直線部と、前記第１の屈曲部を介して曲げられて前記下方直線部から上方に延びる斜め上方直線部と、前記第２の屈曲部を介して曲げられて前記斜め上方直線部に連続し前記下方平面よりも相対的に上方の平面に位置づけられた上方直線部とを含み、この上方直線部に前記連結部は連続し、
前記第４の直線部は、第３と第４の屈曲部を有し、相対的に上方の平面に位置づけられた上方直線部と、前記第３の屈曲部を介して曲げられて前記上方直線部から下方に延びる斜め下方直線部と、前記第４の屈曲部を介して曲げられて前記斜め下方直線部に連続し前記上方平面よりも相対的に下方の平面に位置づけられた下方直線部とを含み、この下方直線部に前記連結部は連続し
前記連結部は、前記第４の直線部の下方直線部に連続して相対的に上方に旋回する上方旋回部と、この上方旋回部に連続して相対的に下方に旋回した後に前記第１の直線部の上方直線部に連続する下方旋回部とからなる環状部を有する、請求項１または請求項２に記載のクリップ。
【発明の詳細な説明】
【技術分野】
【０００１】
この発明は、一般的にはクリップに関し、特定的には書類等の紙片、布などを挟むために用いられる弾性を有する線材からなるクリップに関するものである。
【背景技術】
【０００２】
従来、この種のクリップは、いわゆるゼムクリップ等と呼ばれ、その形状は、たとえば、実開平４−６７０８２号公報（特許文献１）等に記載されている。
【０００３】
図２、図４、図６および図８はクリップの従来の形態を示す平面図（Ａ）と正面図（Ｂ）である。
【０００４】
これらの図に示されているように、従来のクリップ２００、４００、６００、８００は、一本の線材または針金を曲げて長手方向の一方側に相対的に小さいループ状の環状部として第１湾曲部２１０、４１０、６１０、８１０を内側に形成し、相対的に大きいループ状の環状部として第２湾曲部２２０、４２０、６２０、８２０を外側に形成し、長手方向の他方側にループ状の連結部２７０、４７０、６７０、８７０を形成している。従来のクリップ２００、４００、６００、８００は、全体として扁平した形状を有し、各図（Ｂ）に示すように、各湾曲部と連結部とはほぼ同一平面上に位置づけられるように成形されている。
【０００５】
このような形状を有する従来のクリップは、相対的に大きな第２湾曲部２２０、４２０、６２０、８２０を書類等の紙片の表面に押し当てて、相対的に小さな第１湾曲部２１０、４１０、６１０、８１０を指先で押し広げることによって、第１湾曲部２１０、４１０、６１０、８１０と第２湾曲部２２０、４２０、６２０、８２０との間に紙片を挟み込み、紙片の表面に沿って移動させた後、連結部２７０、４７０、６７０、８７０を複数枚の紙片の側面に係止させることによって、複数枚の紙片を挟み固定するために用いられている。
【特許文献１】実開平４−６７０８２号公報
【発明の開示】
【発明が解決しようとする課題】
【０００６】
このように従来のクリップを用いるためには、相対的に大きな第２湾曲部２２０、４２０、６２０、８２０を書類等の紙片の表面に押し当てて、相対的に小さな第１湾曲部２１０、４１０、６１０、８１０を指先で押し広げて、クリップの長手方向の一方側に紙片の端部を挿入し、紙片の端部を挟み込む必要がある。これを行うためには、クリップの長手方向において、相対的に小さな第１湾曲部２１０、４１０、６１０、８１０が位置する側を確認する必要があった。
【０００７】
ところが、従来のクリップでは、内側に位置する相対的に小さな第１湾曲部２１０、４１０、６１０、８１０と、外側に位置する相対的に大きな第２湾曲部２２０、４２０、６２０、８２０との間には大きな空間が設けられている。このため、目の不自由な人や老眼の人は、長手方向の一方端を指で挟んで掴んで、外側に位置する相対的に大きな第２湾曲部２２０、４２０、６２０、８２０を形成している一本の線材のループが一方側にあり、長手方向の他方端を指で挟んで掴んでも、連結部２７０、４７０、６７０、８７０を形成している同じ一本の線材のループが他方側にもあるものと触感で認識してしまうので、長手方向のどちらの側に相対的に小さな第１湾曲部２１０、４１０、６１０、８１０があるのかを見つけるのが困難であった。特に老眼の人にとっては暗い場所ではクリップの長手方向のどちらの側に相対的に小さな第１湾曲部２１０、４１０、６１０、８１０があるのかを見つけるのが困難であった。すなわち、目の不自由な人や老眼の人にとっては、クリップの長手方向のどちらの側に紙片の端部を挿入すればいいのかを確認するのが困難であった。その結果、従来のクリップは目の不自由な人や老眼の人にとっては使いづらかった。
【０００８】
また、従来のクリップは、図２、図４、図６および図８に示すように、線材の末端縁２５１、４５１、６５１、８５１はクリップの外側に延びている。このため、多数個のクリップが箱等に保管されている場合に、一つのクリップの直線部２３０、４３０、６３０、８３０と直線部２５０、４５０、６５０、８５０との間の隙間に、末端縁２５１、４５１、６５１、８５１を通じて、隣り合う他のクリップを構成する線材が入り込んで絡まってしまった状態になっていることが多い。この場合、目の不自由な人や老眼の人は、互いに絡まったクリップ同士から、一つのクリップを取り出すのが困難であった。
【０００９】
そこで、この発明の目的は、目の不自由な人や老眼の人でも使いやすいクリップを提供することである。
【課題を解決するための手段】
【００１０】
この発明に従ったクリップは、弾性を有する線材からなるクリップである。この発明のクリップは、第１および第２の湾曲部と、第１および第２の直線部と、第３および第４の直線部と、連結部とを備える。第１および第２の湾曲部は、長手方向の一方側に位置し、線材がほぼＵ字形状に曲げられて形成されている。第１および第２の直線部は、第１の湾曲部の両端から長手方向の他方側に向かって線材が間隔をあけてほぼ直線状に延びるように形成されている。第３および第４の直線部は、第２の湾曲部の両端から長手方向の他方側に向かって線材が間隔をあけてほぼ直線状に延びるように形成されている。連結部は、第１の直線部と第４の直線部とを長手方向の他方側にて連結し、第１の直線部と第４の直線部との間の間隔を跨ぐように延びている。
【００１１】
第１の直線部は、第１の湾曲部から連結部に至るまで第３の直線部に近接して延びている。第４の直線部は、第２の湾曲部から連結部に至るまで第２の直線部に近接して延びている。
【００１２】
第２の直線部と第３の直線部は長手方向の他方側にて線材の末端縁を有している。第１の湾曲部または第１の直線部が第２の湾曲部または第３の直線部の上に延びて交差することにより、第２の直線部と第３の直線部の末端縁は、第１の直線部と第４の直線部と連結部とによって取り囲まれた領域内に位置づけられている。
【００１３】
第１の湾曲部は、長手方向において第２の湾曲部とほぼ同じ位置に、または、長手方向において第２の湾曲部に近接した位置に位置づけられている。第１の直線部と第２の直線部が上方に曲げられることにより、第１の湾曲部は第２の湾曲部から離れた上方の位置に位置づけられている。
【００１４】
第１の直線部または第４の直線部の少なくともいずれかは長手方向の他方側にて屈曲部を有する。
【００１５】
まず、この発明のクリップにおいては、長手方向の一方側では、第１の湾曲部は、長手方向において第２の湾曲部とほぼ同じ位置に、または、長手方向において第２の湾曲部に近接した位置に位置づけられている。第１の直線部と第２の直線部が上方に曲げられることにより、長手方向の一方側にて、第１の湾曲部は第２の湾曲部から離れた上方の位置に位置づけられている。これに対して、長手方向の他方側では、第１の直線部と第４の直線部とを連結する連結部が位置づけられており、第１の直線部または第４の直線部の少なくともいずれかは屈曲部を有する。
【００１６】
このように、長手方向の一方側では、第１の湾曲部と第２の湾曲部がほぼ同じ位置に、または近接した位置にあり、すなわち、二本の線材のループがほぼ同じ位置に、または近接した位置にあるのに対し、長手方向の他方側では、連結部があり、すなわち、一本の線材のループがある。また、長手方向の一方側では、第１の湾曲部は第２の湾曲部から離れた上方の位置にあり、すなわち、二本の線材のループが重なっているのに対し、長手方向の他方側では、一本の線材のループに連結される二つの直線部の少なくともいずれかが屈曲している。
【００１７】
本発明のクリップにおいては、長手方向の一方側と他方側とが上記のように異なった形態で構成されている。このため、目の不自由な人や老眼の人にとっては、一本の線材のループに連結される二つの直線部の少なくともいずれかが屈曲している側と異なり、二本の線材のループがほぼ同じ位置で、または近接した位置で重なっている側が紙片の端部を挿入する側であることを指先の触感で容易に確認することができる。これにより、連結部を構成する一本の線材のループの側を容易に確認することができ、連結部を構成する一本の線材のループを指先で掴んで、この連結部と反対側で、二本の線材のループがほぼ同じ位置で、または近接した位置で重なっている側に、紙片の端部を挿入して、紙片の端部を挟み込む動作を容易に行うことができる。
【００１８】
また、長手方向の一方側では、第１と第２の湾曲部、すなわち、二本の線材のループがほぼ同じ位置で、または近接した位置で重なっているので、従来のクリップのように第１と第２の湾曲部との間に所定の空間が存在するのに比べて、その空間を小さくすることができる。このため、クリップを小型化することができ、所定の大きさのクリップを製造するのに必要な線材の量を節約することができる。
【００１９】
さらに、長手方向の一方側では、第１の湾曲部は第２の湾曲部から離れた上方の位置にあり、すなわち、二本の線材のループが所定の間隔で上方と下方に離れた位置にあるので、その間隔に紙片の端部を挿入して、紙片の端部を挟み込む動作を容易に行うことができる。
【００２０】
長手方向の他方側では、一本の線材のループに連結される二つの直線部の少なくともいずれかが屈曲しているので、その屈曲部を掴むことによって、連結部と反対側の第１と第２の湾曲部の間に紙片の端部を挿入し、紙片の端部を挟み込む動作を容易に行うことができる。
【００２１】
さらにまた、長手方向の一方側では、二本の線材のループが所定の間隔で上方と下方に離れた位置にあり、長手方向の他方側では、一本の線材のループがあるので、長手方向の一方側と他方側の区別だけでなく、クリップの上下方向すなわち表裏側の区別も、目の不自由な人や老眼の人は指先の触感で容易に認識することができる。
【００２２】
この発明のクリップにおいては、第１の湾曲部または第１の直線部が第２の湾曲部または第３の直線部の上に延びて交差することにより、第２の直線部と第３の直線部の末端縁は、第１の直線部と第４の直線部と連結部とによって取り囲まれた領域内に位置づけられている。このように、第２の直線部と第３の直線部の末端縁がクリップの内側の領域内に位置づけられている。このため、多数個のクリップが箱等に保管されている場合に、一つのクリップにおいて互いに近接して延びる第１の直線部と第３の直線部との間の隙間に、または、互いに近接して延びる第２の直線部と第４の直線部との間に、第２の直線部の末端縁、または、第３の直線部の末端縁を通じて、隣り合う他のクリップを構成する線材が入り込んで絡まるのを防止することができる。これにより、目の不自由な人や老眼の人は、箱等に保管されている多数個のクリップのうち、一つのクリップを容易に取り出すことができる。
【００２３】
また、第２の直線部と第３の直線部の末端縁がクリップの内側の領域内に位置づけられているので、第１の湾曲部に連続する第１と第２の直線部の間隔と、第２の湾曲部に連続する第３と第４の直線部の間隔とをほぼ同じにすることができる。このため、従来のクリップのように内側に相対的に小さな第１湾曲部があり、外側に相対的に大きな第２湾曲部があるものに比べて、クリップを小型化することができ、所定の大きさのクリップを製造するのに必要な線材の量を節約することができる。
【００２４】
さらに、第２の直線部と第３の直線部の末端縁がクリップの内側の領域内に位置づけられているので、クリップで紙片を挟んだ場合に、第１の直線部が紙片の上、第３の直線部が紙片の下、第２の直線部が紙片の上、第４の直線部が紙片の下の位置という順に位置づけられる。このため、クリップの長手方向にほぼ直交する方向において、クリップが滑るのをより効果的に防止することができる。これにより、クリップの紙片等に対する挟持力を高めることができる。
【００２５】
この発明のクリップにおいては、第１の湾曲部と第２の湾曲部との間の長手方向の間隔は、線材の直径以下であるのが好ましい。このようにすることにより、長手方向の一方側では、第１と第２の湾曲部、すなわち、二本の線材のループをほぼ同じ位置で、または、より近接した位置で重ならせることができるので、クリップをより小型にすることができ、所定の大きさのクリップを製造するのに必要な線材の量を節約することができる。
【００２６】
また、この場合、目の不自由な人や老眼の人にとっては、一本の線材のループに連結される二つの直線部の少なくともいずれかが屈曲している側と異なり、二本の線材のループがほぼ同じ位置で、または、より近接した位置で重なっている側が紙片の端部を挿入する側であることを指先の触感でより容易に確認することができる。
【００２７】
また、この発明のクリップにおいては、第１の直線部または第４の直線部の少なくともいずれかは、単一の屈曲部を有し、ベース直線部と、単一の屈曲部を介して曲げられてベース直線部から上方に延びる斜方直線部とを含み、この斜方直線部に連結部は連続しているのが好ましい。
【００２８】
このようにすることにより、クリップで紙片を挟んだ場合に、斜方直線部が紙片の端部に接触するまで、紙片の表面に沿ってクリップを移動させることによって、複数枚の紙片を挟み固定することができる。これにより、斜方直線部をクリップの紙片に対する差し込みストッパとして用いることができる。
【００２９】
また、この場合、クリップで紙片を挟みこんだ状態において生じる応力を、屈曲部を支点としてベース直線部と斜方直線部との二つの方向に分散させることができる。すなわち、屈曲部を介したベース直線部と斜方直線部は応力緩和手段として作用する。このため、クリップの使用頻度が高くなっても、材料の疲労を緩和することができ、結果として疲労限度を高めることができる。これにより、クリップの使用頻度が高くなっても、クリップの紙片に対する挟持力を低下させることがないので、クリップの使用寿命を高めることができる。
【００３０】
さらに、長手方向の他方側では、連結部に連続している斜方直線部を掴むことによって、クリップに紙片の端部を挿入して挟み込む動作、または、紙片の端部からクリップを抜き取る動作を容易に行うことができる。
【００３１】
さらに、この発明のクリップにおいては、第１の直線部または第４の直線部の一方は、第１の屈曲部を有し、ベース直線部と、第１の屈曲部を介して曲げられてベース直線部から上方に延びる斜め上方直線部とを含み、この斜め上方直線部に連結部は連続しているのが好ましい。第１の直線部または第４の直線部の他方は、第２の屈曲部を有し、ベース直線部と、第２の屈曲部を介して曲げられてベース直線部から下方に延びる斜め下方直線部とを含み、この斜め下方直線部に連結部は連続しているのが好ましい。
【００３２】
このようにすることにより、クリップで紙片を挟んだ場合に、斜め上方直線部と斜め下方直線部との両方を経て連結部が紙片の端部に接触するまで、紙片の表面に沿ってクリップを移動させることによって、複数枚の紙片を挟み固定することができる。これにより、斜め上方直線部と斜め下方直線部との両方に連続する連結部をクリップの紙片に対する差し込みストッパとして用いることができる。
【００３３】
また、この場合、クリップで紙片を挟みこんだ状態において生じる応力を、屈曲部を支点として、ベース直線部と斜め上方直線部との二つの方向、ベース直線部と斜め下方直線部との二つの方向、それぞれに分散させることができる。すなわち、屈曲部を介したベース直線部と斜め上方直線部および斜め下方直線部は応力緩和手段として作用する。このため、クリップの使用頻度が高くなっても、材料の疲労をより緩和することができ、結果として疲労限度を高めることができる。これにより、クリップの使用頻度が高くなっても、クリップの紙片に対する挟持力を低下させることがないので、クリップの使用寿命をより高めることができる。
【００３４】
さらに、長手方向の他方側では、連結部に連続している斜め上方直線部または斜め下方直線部を掴むことによって、クリップに紙片の端部を挿入して挟み込む動作、または、紙片の端部からクリップを抜き取る動作を容易に行うことができる。
【００３５】
この発明のクリップにおいては、第１の直線部または第４の直線部の少なくともいずれかは、第１と第２の屈曲部を有し、相対的に下方の平面に位置づけられた下方直線部と、第１の屈曲部を介して曲げられて下方直線部から上方に延びる斜方直線部と、第２の屈曲部を介して曲げられて斜方直線部に連続し下方平面よりも相対的に上方の平面に位置づけられた上方直線部とを含み、この上方直線部に連結部は連続しているのが好ましい。
【００３６】
このようにすることにより、クリップで紙片を挟んだ場合に、斜方直線部が紙片の端部に接触するまで、紙片の表面に沿ってクリップを移動させることによって、複数枚の紙片を挟み固定することができる。これにより、クリップの紙片に対する差し込みの程度を斜方直線部の位置によって調整することができる。すなわち、斜方直線部をクリップの紙片に対する差し込みストッパとして用いることができる。
【００３７】
また、この場合、クリップで紙片を挟みこんだ状態において生じる応力を、第１と第２の屈曲部を支点として下方直線部と斜方直線部と上方直線部の三つの方向に分散させることができる。すなわち、第１と第２の屈曲部を介した下方直線部と斜方直線部と上方直線部は応力緩和手段として作用する。このため、クリップの使用頻度が高くなっても、材料の疲労を緩和することができ、結果として疲労限度を高めることができる。これにより、クリップの使用頻度が高くなっても、クリップの紙片に対する挟持力を低下させることがないので、クリップの使用寿命を高めることができる。
【００３８】
また、この発明のクリップにおいては、第１の直線部または第４の直線部の一方は、第１と第２の屈曲部を有し、相対的に下方の平面に位置づけられた下方直線部と、第１の屈曲部を介して曲げられて下方直線部から上方に延びる斜め上方直線部と、第２の屈曲部を介して曲げられて斜め上方直線部に連続し下方平面よりも相対的に上方の平面に位置づけられた上方直線部とを含み、この上方直線部に連結部は連続しているのが好ましい。第１の直線部または第４の直線部の他方は、第３と第４の屈曲部を有し、相対的に上方の平面に位置づけられた上方直線部と、第３の屈曲部を介して曲げられて上方直線部から下方に延びる斜め下方直線部と、第４の屈曲部を介して曲げられて斜め下方直線部に連続し上方平面よりも相対的に下方の平面に位置づけられた下方直線部とを含み、この下方直線部に連結部は連続しているのが好ましい。
【００３９】
このようにすることにより、クリップで紙片を挟んだ場合に、斜め上方直線部と斜め下方直線部が紙片の端部に接触するまで、紙片の表面に沿ってクリップを移動させることによって、複数枚の紙片を挟み固定することができる。これにより、クリップの紙片に対する差し込みの程度を斜め上方直線部と斜め下方直線部の位置によって調整することができる。すなわち、斜め上方直線部と斜め下方直線部をクリップの紙片に対する差し込みストッパとして用いることができる。
【００４０】
また、この場合、クリップで紙片を挟みこんだ状態において生じる応力を、第１と第２の屈曲部を支点として下方直線部と斜め上方直線部と上方直線部の三つの方向に、また、第３と第４の屈曲部を支点として上方直線部と斜め下方直線部と下方直線部の三つの方向に、分散させることができる。すなわち、第１と第２の屈曲部を介した下方直線部と斜め上方直線部と上方直線部、第３と第４の屈曲部を介した上方直線部と斜め下方直線部と下方直線部のそれぞれは応力緩和手段として作用する。このため、クリップの使用頻度が高くなっても、材料の疲労を緩和することができ、結果として疲労限度をより高めることができる。これにより、クリップの使用頻度が高くなっても、クリップの紙片に対する挟持力を低下させることがないので、クリップの使用寿命をより高めることができる。
【００４１】
さらにこの発明のクリップにおいては、第４の直線部は、第１と第２の屈曲部を有し、相対的に下方の平面に位置づけられた下方直線部と、第１の屈曲部を介して曲げられて下方直線部から上方に延びる斜め上方直線部と、第２の屈曲部を介して曲げられて斜め上方直線部に連続し下方平面よりも相対的に上方の平面に位置づけられた上方直線部とを含み、この上方直線部に連結部は連続しているのが好ましい。第１の直線部は、第３と第４の屈曲部を有し、相対的に上方の平面に位置づけられた上方直線部と、第３の屈曲部を介して曲げられて上方直線部から下方に延びる斜め下方直線部と、第４の屈曲部を介して曲げられて斜め下方直線部に連続し上方平面よりも相対的に下方の平面に位置づけられた下方直線部とを含み、この下方直線部に連結部は連続しているのが好ましい。
【００４２】
この場合、連結部は、第１の直線部の下方直線部に連続して相対的に上方に旋回する上方旋回部と、この上方旋回部に連続して相対的に下方に旋回した後に第４の直線部の上方直線部に連続する下方旋回部とからなる環状部を有するのが好ましい。
【００４３】
このようにすることにより、第１と第２の屈曲部を介した下方直線部と斜め上方直線部と上方直線部、第３と第４の屈曲部を介した上方直線部と斜め下方直線部と下方直線部のそれぞれは応力緩和手段として作用するだけでなく、連結部を構成する上方旋回部と下方旋回部とからなる環状部も応力緩和手段として作用する。このため、クリップの使用頻度が高くなっても、材料の疲労をさらに緩和することができ、結果として疲労限度をより高めることができる。これにより、クリップの使用頻度が高くなっても、クリップの紙片に対する挟持力を低下させることがないので、クリップの使用寿命をさらに高めることができる。
【００４４】
また、この場合、クリップで紙片を挟んだ場合に、連結部を構成する環状部の端が紙片の端部に接触するまで、紙片の表面に沿ってクリップを移動させることによって、複数枚の紙片を挟み固定することができる。これにより、連結部を構成する環状部をクリップの紙片に対する差し込みストッパとして用いることができる。
【００４５】
この発明のクリップにおいては、第１の直線部は、第１と第２の屈曲部を有し、相対的に下方の平面に位置づけられた下方直線部と、第１の屈曲部を介して曲げられて下方直線部から上方に延びる斜め上方直線部と、第２の屈曲部を介して曲げられて斜め上方直線部に連続し下方平面よりも相対的に上方の平面に位置づけられた上方直線部とを含み、この上方直線部に連結部は連続しているのが好ましい。第４の直線部は、第３と第４の屈曲部を有し、相対的に上方の平面に位置づけられた上方直線部と、第３の屈曲部を介して曲げられて上方直線部から下方に延びる斜め下方直線部と、第４の屈曲部を介して曲げられて斜め下方直線部に連続し上方平面よりも相対的に下方の平面に位置づけられた下方直線部とを含み、この下方直線部に連結部は連続しているのが好ましい。
【００４６】
この場合、連結部は、第４の直線部の下方直線部に連続して相対的に上方に旋回する上方旋回部と、この上方旋回部に連続して相対的に下方に旋回した後に第１の直線部の上方直線部に連続する下方旋回部とからなる環状部を有するのが好ましい。
【００４７】
このようにすることにより、クリップで紙片を挟んだ場合に、連結部を構成する上方旋回部と下方旋回部が交差した箇所が紙片の端部に接触するまで、紙片の表面に沿ってクリップを移動させることによって、複数枚の紙片を挟み固定することができる。これにより、上記の交差した箇所をクリップの紙片に対する差し込みストッパとして用いることができる。
【００４８】
また、この場合、クリップで紙片を挟んだ状態において、連結部を構成する上方旋回部と下方旋回部が交差した箇所が紙片の端部に接触し、環状部は紙片の端部から突出した位置にある。このため、この突出した位置にある環状部に付箋または針金付きの紙製札を引っ掛けることができる。
【発明の効果】
【００４９】
以上のようにこの発明によれば、クリップを小型化することができ、所定の大きさのクリップを製造するのに必要な線材の量を節約することができ、クリップの紙片、布等に対する挟持力を高めることができるとともに、目の不自由な人や老眼の人でも使いやすいクリップを提供することができる。
【発明を実施するための最良の形態】
【００５０】
以下、この発明の実施の形態を図面に基づいて説明する。
【００５１】
図１はこの発明のクリップの第１の実施の形態を示す平面図（Ａ）、正面図（Ｂ）、および、紙を挟んだ状態のクリップを示す、平面図（Ａ）のＣ−Ｃ線における断面図（Ｃ）である。比較のために、図２はクリップの従来の形態１を示す平面図（Ａ）、正面図（Ｂ）、および、紙を挟んだ状態のクリップを示す、平面図（Ａ）のＣ−Ｃ線における断面図（Ｃ）である。
【００５２】
図１に示すように、クリップ１００は弾性を有する線材からなるクリップである。この発明のクリップ１００は、第１湾曲部１１０と第２湾曲部１２０と、第１直線部１３０と第２直線部１４０と、第３直線部１５０と第４直線部１６０と、連結部１７０とを備える。第１湾曲部１１０と第２湾曲部１２０は、長手方向の一方側（図１において右側）に位置し、線材がほぼＵ字形状に曲げられて、ほぼ半円形状に形成されている。第１直線部１３０と第２直線部１４０は、第１湾曲部１１０の両端から長手方向の他方側（図１において左側）に向かって線材が間隔をあけてほぼ直線状に延びるように形成されている。第３直線部１５０と第４直線部１６０は、第２湾曲部１２０の両端から長手方向の他方側に向かって線材が間隔をあけてほぼ直線状に延びるように形成されている。連結部１７０は、第１直線部１３０と第４直線部１６０とを長手方向の他方側にて連結し、線材がほぼＵ字形状に曲げられて、ほぼ半円形状に形成され、第１直線部１３０と第４直線部１６０との間の間隔を跨ぐように延びている。
【００５３】
第１直線部１３０は、第１湾曲部１１０から連結部１７０に至るまで第３直線部１５０に近接して延びている。第４直線部１６０は、第２湾曲部１２０から連結部１７０に至るまで第２直線部１４０に近接して延びている。
【００５４】
第２直線部１４０と第３直線部１５０は長手方向の他方側にて線材の末端縁を有している。第１湾曲部１１０が第２湾曲部１２０の上に延びて交差することにより、第２直線部１４０の末端縁１４１と第３直線部１５０の末端縁１５１は、第１直線部１３０と第４直線部１６０と連結部１７０とによって取り囲まれた領域内に位置づけられている。
【００５５】
第１湾曲部１１０は、長手方向において第２湾曲部１２０とほぼ同じ位置に位置づけられている。第１直線部１３０と第２直線部１４０が上方に曲げられることにより、第１湾曲部１１０は第２湾曲部１２０から離れた上方の位置に位置づけられている。
【００５６】
第１直線部１３０は長手方向の他方側にて屈曲部１３２を有し、第４直線部１６０は長手方向の他方側にて屈曲部１６２を有する。第１直線部１３０は、単一の屈曲部１３２を有し、ベース直線部１３１と、単一の屈曲部１３２を介して曲げられてベース直線部１３１から上方に延びる斜方直線部１３３とを含む。斜方直線部１３３に連結部１７０は連続している。第４直線部１６０は、単一の屈曲部１６２を有し、ベース直線部１６１と、単一の屈曲部１６２を介して曲げられてベース直線部１６１から上方に延びる斜方直線部１６３とを含む。斜方直線部１６３に連結部１７０は連続している。
【００５７】
これに対して、図２に示すように、従来のクリップ２００は、第１湾曲部２１０と第２湾曲部２２０と、第１直線部２３０と第２直線部２４０と、第３直線部２５０と第４直線部２６０と、連結部２７０とを備えるが、図２（Ｂ）に示すように全体として扁平した形状を有する。第１湾曲部２１０と第２湾曲部２２０との間には相対的に大きな空間がある。第２直線部２４０の末端縁２４１は第１直線部２３０と第４直線部２６０と連結部２７０とによって取り囲まれた領域内に位置づけられているが、第３直線部２５０の末端縁２５１はクリップ２００の外側に延びている。
【００５８】
図１に示されるクリップ１００は、図２に示される従来のクリップ２００に対する利点として以下のような作用効果を奏する。
【００５９】
まず、この発明のクリップ１００においては、長手方向の一方側では、第１湾曲部１１０は、長手方向において第２の湾曲部１２０とほぼ同じ位置に位置づけられている。第１直線部１３０と第２直線部１４０が上方に曲げられることにより、長手方向の一方側にて、第１湾曲部１１０は第２湾曲部１２０から離れた上方の位置に位置づけられている。これに対して、長手方向の他方側では、第１直線部１３０と第４直線部１６０とを連結する連結部１７０が位置づけられており、第１直線部１３０と第４直線部１６０のいずれも屈曲部１３２、１６２を有する。
【００６０】
このように、長手方向の一方側では、第１湾曲部１１０と第２湾曲部１２０がほぼ同じ位置にあり、すなわち、二本の線材のループが同じ位置にあるのに対し、長手方向の他方側では、連結部１７０があり、すなわち、一本の線材のループだけがある。また、長手方向の一方側では、第１湾曲部１１０は第２湾曲部１２０から離れた上方の位置にあり、すなわち、二本の線材のループが重なっているのに対し、長手方向の他方側では、一本の線材のループに連結される二つの直線部が屈曲している。
【００６１】
本発明のクリップ１００においては、長手方向の一方側と他方側とが上記のように異なった形態で構成されている。このため、目の不自由な人や老眼の人にとっては、一本の線材のループに連結される二つの直線部が屈曲している側と異なり、二本の線材のループがほぼ同じ位置で重なっている側が紙片の端部を挿入する側であることを指先の触感で容易に確認することができる。これにより、連結部１７０を構成する一本の線材のループの側を容易に確認することができ、連結部１７０を構成する一本の線材のループを指先で掴んで、連結部１７０と反対側で、二本の線材のループがほぼ同じ位置で重なっている側に、紙片の端部を挿入して、紙片の端部を挟み込む動作を容易に行うことができる。
【００６２】
また、長手方向の一方側では、第１湾曲部１１０と第２湾曲部１２０、すなわち、二本の線材のループがほぼ同じ位置で重なっているので、従来のクリップ２００のように第１湾曲部２１０と第２湾曲部２２０との間に所定の空間が存在するのに比べて、その空間を小さくすることができる。このため、クリップを小型化することができ、所定の大きさのクリップを製造するのに必要な線材の量を節約することができる。
【００６３】
さらに、長手方向の一方側では、第１湾曲部１１０は第２湾曲部１２０から離れた上方の位置にあり、すなわち、二本の線材のループが所定の間隔で上方と下方に離れた位置にあるので、その間隔に紙片の端部を挿入して、紙片の端部を挟み込む動作を容易に行うことができる。
【００６４】
長手方向の他方側では、一本の線材のループに連結される二つの直線部が屈曲しているので、その屈曲部１３２、１６２を掴むことによって、連結部１７０と反対側の第１湾曲部１１０と第２湾曲部１２０との間に紙片の端部を挿入し、紙片の端部を挟み込む動作を容易に行うことができる。
【００６５】
さらにまた、長手方向の一方側では、二本の線材のループが所定の間隔で上方と下方に離れた位置にあり、長手方向の他方側では、一本の線材のループがあるので、長手方向の一方側と他方側の区別だけでなく、クリップ１００の上下方向すなわち表裏側の区別も、目の不自由な人や老眼の人は指先の触感で容易に認識することができる。
【００６６】
この発明のクリップにおいては、第１湾曲部１１０が第２湾曲部１２０の上に延びて交差することにより、第２直線部１４０の末端縁１４１と第３直線部１５０の末端縁１５１は、第１直線部１３０と第４直線部１６０と連結部１７０とによって取り囲まれた領域内に位置づけられている。このように、第２直線部１４０の末端縁１４１と第３直線部１５０の末端縁１５１がクリップ１００の内側の領域内に位置づけられている。このため、多数個のクリップ１００が箱等に保管されている場合に、一つのクリップ１００において互いに近接して延びる第１直線部１３０と第３直線部１５０との間の隙間に、または、互いに近接して延びる第２直線部１４０と第４直線部１６０との間に、第２直線部１４０の末端縁１４１、または、第３直線部１５０の末端縁１５１を通じて、隣り合う他のクリップ１００を構成する線材が入り込んで絡まるのを防止することができる。これにより、目の不自由な人や老眼の人は、箱等に保管されている多数個のクリップ１００のうち、一つのクリップ１００を容易に取り出すことができる。
【００６７】
また、第２直線部１４０の末端縁１４１と第３直線部１５０の末端縁１５１がクリップ１００の内側の領域内に位置づけられているので、第１湾曲部１１０に連続する第１直線部１３０と第２直線部１４０の間隔と、第２湾曲部１２０に連続する第３直線部１５０と第４直線部１６０の間隔とをほぼ同じにすることができる。このため、従来のクリップ２００のように内側に相対的に小さな第１湾曲部２１０があり、外側に相対的に大きな第２湾曲部２２０があるものに比べて、クリップを小型化することができ、所定の大きさのクリップを製造するのに必要な線材の量を節約することができる。
【００６８】
さらに、第２直線部１４０の末端縁１４１と第３直線部１５０の末端縁１５１がクリップ１００の内側の領域内に位置づけられているので、図１（Ｃ）に示すように、クリップ１００で紙片１０を挟んだ場合に、図にて左から、第１直線部１３０が紙片１０の上、第３直線部１５０が紙片１０の下、第２直線部１４０が紙片１０の上、第４直線部１６０が紙片１０の下の位置というように上下の位置が交互になる順に位置づけられる。このため、クリップ１００の長手方向にほぼ直交する方向、すなわち、図１（Ａ）のＣ−Ｃ線の方向において、クリップ１００が滑るのをより効果的に防止することができる。これにより、クリップ１００の紙片等に対する挟持力を高めることができる。
【００６９】
これに対して、従来のクリップ２００では、図２（Ｃ）に示すように、クリップ２００で紙片１０を挟んだ場合に、図にて左から、第３直線部２５０が紙片１０の下、第１直線部２３０が紙片１０の上、第２直線部２４０が紙片１０の上、第４直線部２６０が紙片１０の下の位置という順に位置づけられる。このため、クリップ２００の長手方向にほぼ直交する方向、すなわち、図２（Ａ）のＣ−Ｃ線の方向において、クリップ２００が滑りやすくなる。
【００７０】
また、この発明のクリップ１００においては、第１直線部１３０と第４直線部１６０のいずれもが、単一の屈曲部１３２、１６２を有し、ベース直線部１３１、１６１と、単一の屈曲部１３２、１６２を介して曲げられてベース直線部１３１、１６１から上方に延びる斜方直線部１３３、１６３とを含み、この斜方直線部１３３、１６３に連結部１７０は連続している。
【００７１】
このようにすることにより、クリップ１００で紙片を挟んだ場合に、斜方直線部１３３、１６３が紙片の端部に接触するまで、紙片の表面に沿ってクリップ１００を移動させることによって、複数枚の紙片を挟み固定することができる。これにより、斜方直線部１３３、１６３をクリップ１００の紙片に対する差し込みストッパとして用いることができる。
【００７２】
また、この場合、クリップ１００で紙片を挟みこんだ状態において生じる応力を、屈曲部１３２、１６２を支点としてベース直線部１３１、１６１と斜方直線部１３３、１６３との二つの方向に分散させることができる。すなわち、屈曲部１３２、１６２を介したベース直線部１３１、１６１と斜方直線部１３３、１６３は応力緩和手段として作用する。このため、クリップ１００の使用頻度が高くなっても、材料の疲労を緩和することができ、結果として疲労限度を高めることができる。これにより、クリップ１００の使用頻度が高くなっても、クリップ１００の紙片に対する挟持力を低下させることがないので、クリップ１００の使用寿命を高めることができる。
【００７３】
さらに、長手方向の他方側では、連結部１７０に連続している斜方直線部１３３、１６３を掴むことによって、クリップ１００に紙片の端部を挿入して挟み込む動作、または、紙片の端部からクリップを抜き取る動作を容易に行うことができる。
【００７４】
図３はこの発明のクリップの第２の実施の形態を示す平面図（Ａ）と正面図（Ｂ）である。比較のために、図４はクリップの従来の形態２を示す平面図（Ａ）と正面図（Ｂ）である。
【００７５】
図３に示すように、クリップ３００は弾性を有する線材からなるクリップである。この発明のクリップ３００は、第１湾曲部３１０と第２湾曲部３２０と、第１直線部３３０と第２直線部３４０と、第３直線部３５０と第４直線部３６０と、連結部３７０とを備える。第１直線部３３０と第４直線部３６０は、それぞれ、ベース直線部３３１、３６１と屈曲部３３２、３６２と斜方直線部３３３、３６３とを有する。第２直線部３４０と第３直線部３５０は、それぞれ、末端縁３４１、３５１を有する。
【００７６】
図１に示されるクリップ１００と異なり、厚い紙片等を挟むために用いるために、滑り止めとして線材の外周面に複数の溝が間隔をあけて形成されている。また、第１湾曲部３１０は、長手方向において第２湾曲部３２０に近接した位置で、第２湾曲部３２０よりも長手方向において他方側寄りで内側に位置づけられている。第１湾曲部３１０が第２湾曲部３２０と第３直線部３５０の上に延びて交差することにより、第２直線部３４０の末端縁３４１と第３直線部３５０の末端縁３５１は、第１直線部３３０と第４直線部３６０と連結部３７０とによって取り囲まれた領域内に位置づけられている。この発明のクリップ３００においては、第１湾曲部３１０と第２湾曲部３２０との間の長手方向の間隔は線材の直径以下である。
【００７７】
クリップ３００のその他の構成は、図１に示すクリップ１００の構成と同様である。
【００７８】
これに対して、図４に示すように、従来のクリップ４００は、第１湾曲部４１０と第２湾曲部４２０と、第１直線部４３０と第２直線部４４０と、第３直線部４５０と第４直線部４６０と、連結部４７０とを備えるが、図４（Ｂ）に示すように全体として扁平した形状を有する。第１湾曲部４１０と第２湾曲部４２０との間には相対的に大きな空間がある。第２直線部４４０の末端縁４４１は第１直線部４３０と第４直線部４６０と連結部４７０とによって取り囲まれた領域内に位置づけられているが、第３直線部４５０の末端縁４５１はクリップ４００の外側に延びている。
【００７９】
図３に示されるクリップ３００は、図４に示される従来のクリップ４００に対する利点として、図１のクリップ１００と同様の作用効果に付け加えて以下の作用効果を奏する。
【００８０】
クリップ３００の第１湾曲部３１０は、長手方向において第２湾曲部３２０に近接した位置にあり、第１湾曲部３１０と第２湾曲部３２０との間の長手方向の間隔は線材の直径以下であるが、長手方向の一方側では、第１湾曲部３１０と第２湾曲部３２０、すなわち、二本の線材のループを近接した位置で重ならせることができるので、この場合でもクリップを小型にすることができ、所定の大きさのクリップを製造するのに必要な線材の量を節約することができる。この場合、第１湾曲部３１０と第２湾曲部３２０との間の長手方向の間隔は線材の直径の３倍程度以下でもよい。
【００８１】
また、この場合、目の不自由な人や老眼の人にとっては、一本の線材のループに連結される二つの直線部が屈曲している側と異なり、二本の線材のループが近接した位置で重なっている側が紙片の端部を挿入する側であることを指先の触感でより容易に確認することができる。
【００８２】
図５はこの発明のクリップの第３の実施の形態を示す平面図（Ａ）と正面図（Ｂ）である。比較のために、図６はクリップの従来の形態３を示す平面図（Ａ）と正面図（Ｂ）である。
【００８３】
図５に示すように、クリップ５００は弾性を有する線材からなるクリップである。この発明のクリップ５００は、第１湾曲部５１０と第２湾曲部５２０と、第１直線部５３０と第２直線部５４０と、第３直線部５５０と第４直線部５６０と、連結部５７０とを備える。第１直線部５３０と第４直線部５６０は、それぞれ、ベース直線部５３１、５６１と屈曲部５３２、５６２と斜方直線部５３３、５６３とを有する。第２直線部５４０と第３直線部５５０は、それぞれ、末端縁５４１、５５１を有する。
【００８４】
図１に示されるクリップ１００と異なり、クリップ５００の全体的な平面形状は、ほぼ二等辺三角形状であり、長手方向の一方側では二等辺三角形の頂点を丸めるように線材が曲げられて第１湾曲部５１０と第２湾曲部５２０とが形成され、長手方向の他方側では二等辺三角形の底辺に沿って直線状の連結部５７０が形成されている。また、クリップ５００においては、第１直線部５３０と第２直線部５４０が上方に曲げられることにより、第１湾曲部５１０が第２湾曲部５２０から離れた上方の位置に位置づけられるだけでなく、第３直線部５５０と第４直線部５６０が下方に曲げられることにより、第２湾曲部５２０が第１湾曲部５１０から離れた下方の位置に位置づけられており、第１湾曲部５１０と第２湾曲部５２０との間の距離が広くなっている。
【００８５】
クリップ５００のその他の構成は、図１に示すクリップ１００の構成と同様である。
【００８６】
これに対して、図６に示すように、従来のクリップ６００は、第１湾曲部６１０と第２湾曲部６２０と、第１直線部６３０と第２直線部６４０と、第３直線部６５０と第４直線部６６０と、連結部６７０とを備えるが、図６（Ｂ）に示すように全体として扁平した形状を有する。第１湾曲部６１０と第２湾曲部６２０との間には相対的に大きな空間がある。第２直線部６４０の末端縁６４１は第１直線部６３０と第４直線部６６０と連結部６７０とによって取り囲まれた領域内に位置づけられているが、第３直線部６５０の末端縁６５１はクリップ６００の外側に延びている。
【００８７】
図５に示されるクリップ５００は、図６に示される従来のクリップ６００に対する利点として、図１のクリップ１００と同様の作用効果を有する。
【００８８】
図７はこの発明のクリップの第４の実施の形態を示す平面図（Ａ）と正面図（Ｂ）である。比較のために、図８はクリップの従来の形態４を示す平面図（Ａ）と正面図（Ｂ）である。
【００８９】
図７に示すように、クリップ７００は弾性を有する線材からなるクリップである。この発明のクリップ７００は、第１湾曲部７１０と第２湾曲部７２０と、第１直線部７３０と第２直線部７４０と、第３直線部７５０と第４直線部７６０と、連結部７７０とを備える。第１直線部７３０と第４直線部７６０は、それぞれ、ベース直線部７３１、７６１と屈曲部７３２、７６２と斜方直線部７３３、７６３とを有する。第２直線部７４０と第３直線部７５０は、それぞれ、末端縁７４１、７５１を有する。
【００９０】
図３に示されるクリップ３００と異なり、クリップ７００の全体的な平面形状は、長手方向の一方側では相対的に大きな曲率半径で線材が曲げられて第１湾曲部７１０と第２湾曲部７２０とが形成され、長手方向の他方側では一方側の幅よりも相対的に短い長さの直線状の連結部７７０が形成されている。また、クリップ７００においては、第１直線部７３０と第２直線部７４０が上方に曲げられることにより、第１湾曲部７１０が第２湾曲部７２０から離れた上方の位置に位置づけられるだけでなく、第３直線部７５０と第４直線部７６０が下方に曲げられることにより、第２湾曲部７２０が第１湾曲部７１０から離れた下方の位置に位置づけられており、第１湾曲部７１０と第２湾曲部７２０との間の距離が広くなっている。
【００９１】
クリップ７００のその他の構成は、図３に示すクリップ３００の構成と同様である。
【００９２】
これに対して、図８に示すように、従来のクリップ８００は、第１湾曲部８１０と第２湾曲部８２０と、第１直線部８３０と第２直線部８４０と、第３直線部８５０と第４直線部８６０と、連結部８７０とを備えるが、図８（Ｂ）に示すように全体として扁平した形状を有する。第１湾曲部８１０と第２湾曲部８２０との間には相対的に大きな空間がある。第２直線部８４０の末端縁８４１は第１直線部８３０と第４直線部８６０と連結部８７０とによって取り囲まれた領域内に位置づけられているが、第３直線部８５０の末端縁８５１はクリップ８００の外側に延びている。
【００９３】
図７に示されるクリップ７００は、図８に示される従来のクリップ８００に対する利点として、図３のクリップ３００と同様の作用効果を有する。
【００９４】
図９は、この発明のクリップの第５の実施の形態を示す平面図（Ａ）と正面図（Ｂ）である。
【００９５】
図９に示すように、クリップ９００は弾性を有する線材からなるクリップである。この発明のクリップ９００は、第１湾曲部９１０と第２湾曲部９２０と、第１直線部９３０と第２直線部９４０と、第３直線部９５０と第４直線部９６０と、連結部９７０とを備える。第１直線部９３０と第４直線部９６０は、それぞれ、ベース直線部９３１、９６１と屈曲部９３２、９６２と斜方直線部９３３、９６３とを有する。第２直線部９４０と第３直線部９５０は、それぞれ、末端縁９４１、９５１を有する。
【００９６】
図５に示されるクリップ５００と異なり、クリップ９００の全体的な平面形状は、ほぼ二等辺三角形状であるが、長手方向の一方側では相対的に大きな曲率半径で線材が曲げられて第１湾曲部９１０と第２湾曲部９２０とが形成され、長手方向の他方側では一方側の幅よりも相対的に長い長さの直線状の連結部９７０が形成されている。また、第１湾曲部９１０は、長手方向において第２湾曲部９２０に近接した位置で、第２湾曲部９２０よりも長手方向において他方側寄りで内側に位置づけられている。第１湾曲部９１０が第２湾曲部９２０と第３直線部９５０の上に延びて交差することにより、第２直線部９４０の末端縁９４１と第３直線部９５０の末端縁９５１は、第１直線部９３０と第４直線部９６０と連結部９７０とによって取り囲まれた領域内に位置づけられている。この発明のクリップ９００においては、第１湾曲部９１０と第２湾曲部９２０との間の長手方向の間隔は線材の直径程度である。
【００９７】
クリップ９００のその他の構成は、図５に示すクリップ５００の構成と同様である。
【００９８】
図９に示されるクリップ９００は、図７のクリップ７００と同様の作用効果を有する。
【００９９】
図１０は、この発明のクリップの第６の実施の形態を示す平面図（Ａ）と正面図（Ｂ）である。
【０１００】
図１０に示すように、クリップ１０００は弾性を有する線材からなるクリップである。この発明のクリップ１０００は、第１湾曲部１０１０と第２湾曲部１０２０と、第１直線部１０３０と第２直線部１０４０と、第３直線部１０５０と第４直線部１０６０と、連結部１０７０とを備える。第２直線部１０４０と第３直線部１０５０は、それぞれ、末端縁１０４１、１０５１を有する。
【０１０１】
図７に示されるクリップ７００と異なり、クリップ１０００の全体的な平面形状は、ほぼ長方形状であるが、長手方向の一方側では長方形の短辺よりも相対的にわずかに小さな曲率直径で線材が曲げられて第１湾曲部１０１０と第２湾曲部１０２０とが形成され、長手方向の他方側では長方形の短辺の長さ程度の直線状の連結部１０７０が形成されている。
【０１０２】
また、この発明のクリップ１０００においては、第１直線部１０３０は、第１と第２の屈曲部１０３２と１０３４を有し、相対的に下方の平面に位置づけられた下方直線部１０３１と、第１の屈曲部１０３２を介して曲げられて下方直線部１０３１から上方に延びる斜方直線部１０３３と、第２の屈曲部１０３４を介して曲げられて斜方直線部１０３３に連続し下方平面よりも相対的に上方の平面に位置づけられた上方直線部１０３５とを含む。第４直線部１０６０は、第１と第２の屈曲部１０６２と１０６４を有し、相対的に下方の平面に位置づけられた下方直線部１０６１と、第１の屈曲部１０６２を介して曲げられて下方直線部１０６１から上方に延びる斜方直線部１０６３と、第２の屈曲部１０６４を介して曲げられて斜方直線部１０６３に連続し下方平面よりも相対的に上方の平面に位置づけられた上方直線部１０６５とを含む。上方直線部１０３５と１０６５に連結部１０７０は連続している。
【０１０３】
クリップ１０００のその他の構成は、図７に示すクリップ７００の構成と同様である。
【０１０４】
図１０に示されるクリップ１０００は、図７のクリップ７００と同様の作用効果に付け加えて以下の作用効果を奏する。
【０１０５】
クリップ１０００で紙片を挟んだ場合に、斜方直線部１０３３、１０６３が紙片の端部に接触するまで、紙片の表面に沿ってクリップ１０００を移動させることによって、複数枚の紙片を挟み固定することができる。これにより、クリップ１０００の紙片に対する差し込みの程度を斜方直線部１０３３、１０６３の位置によって調整することができる。すなわち、斜方直線部１０３３、１０６３をクリップ１０００の紙片に対する差し込みストッパとして用いることができる。
【０１０６】
また、この場合、クリップ１０００で紙片を挟みこんだ状態において生じる応力を、第１と第２の屈曲部１０３２と１０３４、１０６２と１０６４を支点として下方直線部１０３１、１０６１と斜方直線部１０３３、１０６３と上方直線部１０３５、１０６５の三つの方向に分散させることができる。すなわち、第１と第２の屈曲部１０３２と１０３４、１０６２と１０６４を介した下方直線部１０３１、１０６１と斜方直線部１０３３、１０６３と上方直線部１０３５、１０６５は応力緩和手段として作用する。このため、クリップ１０００の使用頻度が高くなっても、材料の疲労を緩和することができ、結果として疲労限度を高めることができる。これにより、クリップ１０００の使用頻度が高くなっても、クリップ１０００の紙片に対する挟持力を低下させることがないので、クリップ１０００の使用寿命を高めることができる。
【０１０７】
図１１は、この発明のクリップの第７の実施の形態を示す平面図（Ａ）と正面図（Ｂ）である。
【０１０８】
図１１に示すように、クリップ１１００は弾性を有する線材からなるクリップである。この発明のクリップ１１００は、第１湾曲部１１１０と第２湾曲部１１２０と、第１直線部１１３０と第２直線部１１４０と、第３直線部１１５０と第４直線部１１６０と、連結部１１７０とを備える。第２直線部１１４０と第３直線部１１５０は、それぞれ、末端縁１１４１、１１５１を有する。
【０１０９】
図１０に示されるクリップ１０００と異なり、クリップ１０００の全体的な平面形状は、ほぼ長方形状であるが、長手方向の他方側では長方形の短辺よりも短い長さの直線状の連結部１１７０が形成されている。
【０１１０】
また、この発明のクリップ１１００においては、第１直線部１１３０は、屈曲部がなく、直線状に延びるように構成されている。これに対して、第４直線部１１６０は、第１と第２の屈曲部１１６２と１１６４を有し、相対的に下方の平面に位置づけられた下方直線部１１６１と、第１の屈曲部１１６２を介して曲げられて下方直線部１１６１から上方に延びる斜方直線部１１６３と、第２の屈曲部１１６４を介して曲げられて斜方直線部１１６３に連続し下方平面よりも相対的に上方の平面に位置づけられた上方直線部１１６５とを含む。上方直線部１１６５に連結部１１７０は連続している。さらに、クリップ１１００においては、第１直線部１１３０と第２直線部１１４０が上方に曲げられることにより、第１湾曲部１１１０が第２湾曲部１１２０から離れた上方の位置に位置づけられるだけでなく、第３直線部１１５０と第４直線部１１６０が下方に曲げられることにより、第２湾曲部１１２０が第１湾曲部１１１０から離れた下方の位置に位置づけられており、第１湾曲部１１１０と第２湾曲部１１２０との間の距離が広くなっている。
【０１１１】
クリップ１１００のその他の構成は、図１０に示すクリップ１０００の構成と同様である。
【０１１２】
図１１に示されるクリップ１１００は、図１０のクリップ１０００と同様の作用効果を奏する。
【０１１３】
図１３はこの発明のクリップ１１００で紙片を挟み込んだ使用状態を示す図である。
【０１１４】
図１３に示すように、クリップ１１００で複数枚からなる厚い紙片５０を挟んだ場合に、斜方直線部１１６３が紙片５０の端部に接触するまで、紙片５０の表面に沿ってクリップ１１００を移動させることによって、複数枚の紙片５０を挟み固定することができる。これにより、クリップ１１００の紙片５０に対する差し込みの程度を斜方直線部１１６３の位置によって調整することができる。すなわち、斜方直線部１１６３をクリップ１１００の紙片５０に対する差し込みストッパとして用いることができる。
【０１１５】
また、この場合、クリップ１１００で紙片５０を挟みこんだ状態において生じる応力を、第１と第２の屈曲部１１６２と１１６４を支点として下方直線部１０６１と斜方直線部１１６３と上方直線部１１６５の三つの方向に分散させることができる。すなわち、第１と第２の屈曲部１１６２と１１６４を介した下方直線部１０６１と斜方直線部１１６３と上方直線部１１６５は応力緩和手段として作用する。このため、クリップ１１００の使用頻度が高くなっても、材料の疲労を緩和することができ、結果として疲労限度を高めることができる。これにより、クリップ１１００の使用頻度が高くなっても、クリップ１１００の紙片に対する挟持力を低下させることがないので、クリップ１１００の使用寿命を高めることができる。
【０１１６】
図１２はこの発明のクリップの第８の実施の形態を示す平面図（Ａ）と正面図（Ｂ）である。
【０１１７】
図１２に示すように、クリップ１２００は弾性を有する線材からなるクリップである。この発明のクリップ１２００は、第１湾曲部１２１０と第２湾曲部１２２０と、第１直線部１２３０と第２直線部１２４０と、第３直線部１２５０と第４直線部１２６０と、連結部１２７０とを備える。第２直線部１２４０と第３直線部１２５０は、それぞれ、末端縁１２４１、１２５１を有する。
【０１１８】
図１０に示されるクリップ１０００と異なり、クリップ１２００の全体的な平面形状は、ほぼ長方形状であるが、長方形の短辺が相対的に長い。
【０１１９】
また、この発明のクリップ１２００においては、第４直線部１２６０は、第１と第２の屈曲部１２６２と１２６４を有し、相対的に下方の平面に位置づけられた下方直線部１２６１と、第１の屈曲部１２６２を介して曲げられて下方直線部１２６１から上方に延びる斜め上方直線部１２６３と、第２の屈曲部１２６４を介して曲げられて斜め上方直線部１２６３に連続し下方平面よりも相対的に上方の平面に位置づけられた上方直線部１２６５とを含む。この上方直線部１２６５に連結部１２７０は連続している。
【０１２０】
第１直線部１２３０は、第３と第４の屈曲部１２３２と１２３４を有し、相対的に上方の平面に位置づけられた上方直線部１２３１と、第３の屈曲部１２３２を介して曲げられて上方直線部１２３１から下方に延びる斜め下方直線部１２３３と、第４の屈曲部１２３４を介して曲げられて斜め下方直線部１２３３に連続し上方平面よりも相対的に下方の平面に位置づけられた下方直線部１２３５とを含む。この下方直線部１２３５に連結部１２７０は連続している。
【０１２１】
さらに、クリップ１２００においては、第１直線部１２３０と第２直線部１２４０が上方に曲げられることにより、第１湾曲部１２１０が第２湾曲部１２２０から離れた上方の位置に位置づけられるだけでなく、第３直線部１２５０と第４直線部１２６０が下方に曲げられることにより、第２湾曲部１２２０が第１湾曲部１２１０から離れた下方の位置に位置づけられており、第１湾曲部１２１０と第２湾曲部１２２０との間の距離が広くなっている。
【０１２２】
クリップ１２００のその他の構成は、図１０に示すクリップ７００の構成と同様である。
【０１２３】
図１２に示されるクリップ１２００は、図１０のクリップ１０００と同様の作用効果に付け加えて以下の作用効果を奏する。
【０１２４】
図１４はこの発明のクリップ１２００で紙片を挟み込んだ使用状態を示す図である。
【０１２５】
図１４に示すように、クリップ１２００で複数枚からなる厚い紙片５０を挟んだ場合に、斜め上方直線部１２６３と斜め下方直線部１２３３が紙片５０の端部に接触するまで、紙片５０の表面に沿ってクリップ１２００を移動させることによって、複数枚の紙片５０を挟み固定することができる。これにより、クリップ１２００の紙片に対する差し込みの程度を斜め上方直線部１２６３と斜め下方直線部１２３３の位置によって調整することができる。すなわち、斜め上方直線部１２６３と斜め下方直線部１２３３をクリップ１２００の紙片５０に対する差し込みストッパとして用いることができる。
【０１２６】
また、この場合、クリップ１２００で紙片５０を挟みこんだ状態において生じる応力を、第１と第２の屈曲部１２６２と１２６４を支点として下方直線部１２６１と斜め上方直線部１２６３と上方直線部１２６５の三つの方向に、また、第３と第４の屈曲部１２３２と１２３４を支点として上方直線部１２３１と斜め下方直線部１２３３と下方直線部１２３５の三つの方向に、分散させることができる。すなわち、第１と第２の屈曲部１２６２と１２６４を介した下方直線部１２６１と斜め上方直線部１２６３と上方直線部１２６５、第３と第４の屈曲部１２３２と１２３４を介した上方直線部１２３１と斜め下方直線部１２３３と下方直線部１２３５のそれぞれは応力緩和手段として作用する。このため、クリップ１２００の使用頻度が高くなっても、材料の疲労を緩和することができ、結果として疲労限度をより高めることができる。これにより、クリップ１２００の使用頻度が高くなっても、クリップ１２００の紙片５０に対する挟持力を低下させることがないので、クリップ１２００の使用寿命をより高めることができる。
【０１２７】
図１５はこの発明のクリップの第９の実施の形態を示す平面図（Ａ）と正面図（Ｂ）、図１６はこの発明のクリップの第９の実施の形態で紙片を挟み込んだ使用状態を示す図である。
【０１２８】
図１５に示すように、クリップ１３００は弾性を有する線材からなるクリップである。この発明のクリップ１３００は、第１湾曲部１３１０と第２湾曲部１３２０と、第１直線部１３３０と第２直線部１３４０と、第３直線部１３５０と第４直線部１３６０と、連結部１３７０とを備える。第２直線部１３４０と第３直線部１３５０は、それぞれ、末端縁１３４１、１３５１を有する。
【０１２９】
図１２に示されるクリップ１２００と異なり、クリップ１３００の全体的な平面形状は、ほぼ長方形状であるが、連結部１３７０の長さが長方形の短辺よりも相対的に短くなるように形成されている。
【０１３０】
また、この発明のクリップ１３００においては、第１直線部１３３０は、第１の屈曲部１３３２を有し、ベース直線部１３３１と、第１の屈曲部１３３２を介して曲げられてベース直線部１３３１から上方に延びる斜め上方直線部１３３３とを含む。この斜め上方直線部１３３３に連結部１３７０は連続している。第４直線部１３６０は、第２の屈曲部１３６２を有し、ベース直線部１３６１と、第２の屈曲部１３６２を介して曲げられてベース直線部１３６１から下方に延びる斜め下方直線部１３６３とを含む。この斜め下方直線部１３６３に連結部１３７０は連続している。
【０１３１】
クリップ１３００のその他の構成は、図１２に示すクリップ１２００の構成と同様である。
【０１３２】
図１５に示されるクリップ１３００は、図７のクリップ７００と同様の作用効果に付け加えて以下の作用効果を奏する。
【０１３３】
図１５と図１６に示すように、クリップ１３００で複数枚の厚い紙片５０を挟んだ場合に、斜め上方直線部１３３３と斜め下方直線部１３６３との両方を経て連結部１３７０が紙片５０の端部に接触するまで、紙片５０の表面に沿ってクリップ１３００を移動させることによって、複数枚の紙片５０を挟み固定することができる。これにより、斜め上方直線部１３３３と斜め下方直線部１３６３との両方に連続する連結部１３７０をクリップ１３００の紙片５０に対する差し込みストッパとして用いることができる。
【０１３４】
また、この場合、クリップ１３００で紙片５０を挟みこんだ状態において生じる応力を、屈曲部１３３２、１３６２を支点として、ベース直線部１３３１と斜め上方直線部１３３３との二つの方向、ベース直線部１３６１と斜め下方直線部１３６３との二つの方向、それぞれに分散させることができる。すなわち、屈曲部１３３２、１３６２を介したベース直線部１３３１、１３６１と斜め上方直線部１３３３および斜め下方直線部１３６３は応力緩和手段として作用する。このため、クリップ１３００の使用頻度が高くなっても、材料の疲労をより緩和することができ、結果として疲労限度を高めることができる。これにより、クリップ１３００の使用頻度が高くなっても、クリップ１３００の紙片５０に対する挟持力を低下させることがないので、クリップ１３００の使用寿命をより高めることができる。
【０１３５】
さらに、長手方向の他方側では、連結部１３７０に連続している斜め上方直線部１３３３または斜め下方直線部１３６３を掴むことによって、クリップ１３００に紙片５０の端部を挿入して挟み込む動作、または、紙片５０の端部からクリップ１３００を抜き取る動作を容易に行うことができる。
【０１３６】
図１７はこの発明のクリップの第１０の実施の形態を示す平面図（Ａ）と正面図（Ｂ）である。
【０１３７】
図１７に示すように、クリップ１４００は弾性を有する線材からなるクリップである。この発明のクリップ１４００は、第１湾曲部１４１０と第２湾曲部１４２０と、第１直線部１４３０と第２直線部１４４０と、第３直線部１４５０と第４直線部１４６０と、連結部１４７０とを備える。第１直線部１４３０と第４直線部１４６０は、それぞれ、ベース直線部１４３１、１４６１と屈曲部１４３２、１４６２と斜方直線部１４３３、１４６３とを有する。第２直線部１４４０と第３直線部１４５０は、それぞれ、末端縁１４４１、１４５１を有する。
【０１３８】
図７に示されるクリップ７００と異なり、クリップ１４００の全体的な平面形状は、長手方向の一方側では相対的に小さな曲率半径で線材が曲げられて第１湾曲部１４１０と第２湾曲部１４２０とが形成され、長手方向の他方側では屈曲部１４３２、１４６２にて斜方直線部１４３３、１４６３が互いに接近するように線材が曲げられ、一方側よりもさらに小さな曲率半径で線材が曲げられて連結部５７０が形成されている。
【０１３９】
また、クリップ１４００においては、第１直線部１４３０と第２直線部１４４０が上方に曲げられることにより、第１湾曲部１４１０が第２湾曲部１４２０から離れた上方の位置に位置づけられるだけでなく、第３直線部１４５０と第４直線部１４６０が下方に曲げられることにより、第２湾曲部１４２０が第１湾曲部１４１０から離れた下方の位置に位置づけられており、第１湾曲部１４１０と第２湾曲部１４２０との間の距離が広くなっている。
【０１４０】
クリップ１４００のその他の構成は、図７に示すクリップ７００の構成と同様である。
【０１４１】
図１７に示されるクリップ１４００は、図７のクリップ７００と同様の作用効果を有する。
【０１４２】
図１８はこの発明のクリップの第１１の実施の形態を示す平面図（Ａ）と正面図（Ｂ）である。
【０１４３】
図１８に示すように、クリップ１５００は弾性を有する線材からなるクリップである。この発明のクリップ１５００は、第１湾曲部１５１０と第２湾曲部１５２０と、第１直線部１５３０と第２直線部１５４０と、第３直線部１５５０と第４直線部１５６０と、連結部１５７０とを備える。第１直線部１５３０と第４直線部１５６０は、それぞれ、ベース直線部１５３１、１５６１と屈曲部１５３２、１５６２と斜方直線部１５３３、１５６３とを有する。第２直線部１５４０と第３直線部１５５０は、それぞれ、末端縁１５４１、１５５１を有する。
【０１４４】
図７に示されるクリップ７００と異なり、クリップ１５００の全体的な平面形状は、長手方向の一方側から他方側に向かうにつれて第１直線部１５３０と第４直線部１５６０が互いに接近するように間隔が狭まるように曲げられ、他方側において、屈曲部１５３２、１５６２にて一方側よりもさらに小さな曲率半径で線材が曲げられて連結部５７０がほぼ円形状に形成されている。
【０１４５】
また、クリップ１５００においては、第１直線部１５３０と第２直線部１５４０が上方に曲げられることにより、第１湾曲部１５１０が第２湾曲部１５２０から離れた上方の位置に位置づけられるだけでなく、第３直線部１５５０と第４直線部１５６０が下方に曲げられることにより、第２湾曲部１５２０が第１湾曲部１５１０から離れた下方の位置に位置づけられており、第１湾曲部１５１０と第２湾曲部１４２０との間の距離が広くなっている。
【０１４６】
クリップ１５００のその他の構成は、図７に示すクリップ７００の構成と同様である。
【０１４７】
図１８に示されるクリップ１５００は、図７のクリップ７００と同様の作用効果を有する。
【０１４８】
図１９はこの発明のクリップの第１２の実施の形態を示す平面図（Ａ）と正面図（Ｂ）である。
【０１４９】
図１９に示すように、クリップ１６００は弾性を有する線材からなるクリップである。この発明のクリップ１６００は、第１湾曲部１６１０と第２湾曲部１６２０と、第１直線部１６３０と第２直線部１６４０と、第３直線部１６５０と第４直線部１６６０と、連結部１６７０とを備える。第１直線部１６３０と第４直線部１６６０は、それぞれ、ベース直線部１６３１、１６６１と屈曲部１６３２、１６６２と斜方直線部１６３３、１６６３とを有する。第２直線部１６４０と第３直線部１６５０は、それぞれ、末端縁１６４１、１６５１を有する。
【０１５０】
図７に示されるクリップ７００と異なり、クリップ１６００の全体的な平面形状は、長手方向の一方側から他方側に向かって第１直線部１６３０と第４直線部１６６０とが、離隔するように曲げられ、屈曲部１６３６、１６６６にて互いに接近するように曲げられ、さらに屈曲部１６３７、１６６７から連結部１６７０に至るまでほぼ同じ間隔で延びるように形成されている。連結部５７０はほぼ直線状に形成されている。
【０１５１】
また、クリップ１６００においては、第１直線部１６３０と第２直線部１６４０が上方に曲げられることにより、第１湾曲部１６１０が第２湾曲部１６２０から離れた上方の位置に位置づけられている。
【０１５２】
クリップ１６００のその他の構成は、図７に示すクリップ７００の構成と同様である。
【０１５３】
図１９に示されるクリップ１６００は、図７のクリップ７００と同様の作用効果を有する。
【０１５４】
図１７、図１８および図１９に示される平面形状のクリップは、装飾用クリップ、簡易なネクタイピン等として布等を挟持するために用いることができ、クリップの平面形状はこれらの図に示されるものに限定されることなく、デザインに応じて種々の形状に変形することができる。
【０１５５】
図２０はこの発明のクリップの第１３の実施の形態を示す平面図（Ａ）と正面図（Ｂ）、図２１はこの発明のクリップの第１３の実施の形態で紙片を挟み込む前と挟み込んだ後の使用状態を示す図（Ａ）と（Ｂ）である。
【０１５６】
図２０に示すように、クリップ１７００は弾性を有する線材からなるクリップである。この発明のクリップ１７００は、第１湾曲部１７１０と第２湾曲部１７２０と、第１直線部１７３０と第２直線部１７４０と、第３直線部１７５０と第４直線部１７６０と、連結部１７７０とを備える。第１直線部１７３０と第４直線部１７６０は、それぞれ、ベース直線部１７３１、１７６１と屈曲部１７３２、１７６２と斜方直線部１７３３、１７６３とを有する。第２直線部１７４０と第３直線部１７５０は、それぞれ、末端縁１７４１、１７５１を有する。
【０１５７】
図１に示されるクリップ１００と異なり、第１湾曲部１７１０、第２湾曲部１７２０および連結部１７７０の平面形状は、ほぼ直線状である。
【０１５８】
クリップ１７００のその他の構成は、図１に示すクリップ１００の構成と同様である。
【０１５９】
図２０に示されるクリップ１７００は、図１のクリップ１００と同様の作用効果に付け加えて以下の作用効果を奏する。
【０１６０】
図２１（Ａ）に示すように、長手方向の一方側に配置される第１湾曲部１７１０と第２湾曲部１７２０が直線状に形成されているので、第１湾曲部１７１０を紙片５０の表面に接触させた後、ほぼ直線状の第１湾曲部１７１０をガイドにして、第１湾曲部１７１０と第２湾曲部１７２０との間に紙片５０を挿入し、図２１（Ｂ）に示すようにクリップ１７００で紙片５０を挟み込むことができる。これにより、紙片５０をクリップ１７００に挿入し、挟み込む動作をより容易に行うことができる。
【０１６１】
図２２はこの発明のクリップの第１４の実施の形態を示す平面図（Ａ）と正面図（Ｂ）である。
【０１６２】
図２２に示すように、クリップ１８００は弾性を有する線材からなるクリップである。この発明のクリップ１８００は、第１湾曲部１８１０と第２湾曲部１８２０と、第１直線部１８３０と第２直線部１８４０と、第３直線部１８５０と第４直線部１８６０と、連結部１８７０とを備える。第２直線部１８４０と第３直線部１８５０は、それぞれ、末端縁１８４１、１８５１を有する。
【０１６３】
図１２に示されるクリップ１２００と異なり、クリップ１８００の全体的な平面形状は、ほぼ長方形状であるが、長手方向の一方側にて第１湾曲部１８１０と第２湾曲部１８２０はほぼ直線状であり、長手方向の他方側にて連結部１８７０はほぼ円形状の環状部を有する。
【０１６４】
この発明のクリップ１８００においては、第４直線部１８６０は、第１と第２の屈曲部１８６２と１８６４を有し、相対的に下方の平面に位置づけられた下方直線部１８６１と、第１の屈曲部１８６２を介して曲げられて下方直線部１８６１から上方に延びる斜め上方直線部１８６３と、第２の屈曲部１８６４を介して曲げられて斜め上方直線部１８６３に連続し下方平面よりも相対的に上方の平面に位置づけられた上方直線部１８６５とを含む。この上方直線部１８６５に連結部１８７０は連続している。
【０１６５】
第１直線部１８３０は、第３と第４の屈曲部１８３２と１８３４を有し、相対的に上方の平面に位置づけられた上方直線部１８３１と、第３の屈曲部１８３２を介して曲げられて上方直線部１８３１から下方に延びる斜め下方直線部１８３３と、第４の屈曲部１８３４を介して曲げられて斜め下方直線部１８３３に連続し上方平面よりも相対的に下方の平面に位置づけられた下方直線部１８３５とを含む。この下方直線部１８３５に連結部１８７０は連続している。
【０１６６】
この場合、連結部１８７０は、第１直線部１８３０の下方直線部１８３５に連続して相対的に上方に旋回する上方旋回部１８７１、１８７２と、この上方旋回部１８７２に連続して相対的に下方に旋回した後に第４直線部１８６０の上方直線部１８６５に連続する下方旋回部１８７３、１８７４とからなる環状部を有する。
【０１６７】
クリップ１８００のその他の構成は、図１２に示すクリップ１２００の構成と同様である。
【０１６８】
図２２に示されるクリップ１８００は、図１２のクリップ１２００と同様の作用効果に付け加えて以下の作用効果を奏する。
【０１６９】
図２４はこの発明のクリップ１８００で紙片を挟み込んだ使用状態を示す図である。
【０１７０】
図２２と図２４に示すように、第１と第２の屈曲部１８６２と１８６４を介した下方直線部１８６１と斜め上方直線部１８６３と上方直線部１８６５、第３と第４の屈曲部１８３２と１８３４を介した上方直線部１８３１と斜め下方直線部１８３３と下方直線部１８３４のそれぞれは応力緩和手段として作用するだけでなく、連結部１８７０を構成する上方旋回部１８７１、１８７２と下方旋回部１８７３、１８７４とからなる環状部も応力緩和手段として作用する。このため、クリップ１８００の使用頻度が高くなっても、材料の疲労をさらに緩和することができ、結果として疲労限度をより高めることができる。これにより、クリップ１８００の使用頻度が高くなっても、クリップ１８００の紙片に対する挟持力を低下させることがないので、クリップ１８００の使用寿命をさらに高めることができる。
【０１７１】
また、この場合、図２４に示すように、クリップ１８００で紙片５０を挟んだ場合に、連結部１８７０を構成する環状部の端が紙片５０の端部に接触するまで、紙片５０の表面に沿ってクリップ１８００を移動させることによって、複数枚の紙片５０を挟み固定することができる。これにより、連結部１８７０を構成する環状部をクリップ１８００の紙片５０に対する差し込みストッパとして用いることができる。
【０１７２】
図２３はこの発明のクリップの第１５の実施の形態を示す平面図（Ａ）と正面図（Ｂ）である。
【０１７３】
図２３に示すように、クリップ１９００は弾性を有する線材からなるクリップである。この発明のクリップ１９００は、第１湾曲部１９１０と第２湾曲部１９２０と、第１直線部１９３０と第２直線部１９４０と、第３直線部１９５０と第４直線部１９６０と、連結部１９７０とを備える。第２直線部１９４０と第３直線部１９５０は、それぞれ、末端縁１９４１、１９５１を有する。
【０１７４】
図１２に示されるクリップ１２００と異なり、クリップ１９００の全体的な平面形状は、ほぼ長方形状であるが、長手方向の一方側にて第１湾曲部１９１０と第２湾曲部１９２０はほぼ直線状であり、長手方向の他方側にて連結部１９７０はほぼ円形状の環状部を有する。
【０１７５】
この発明のクリップ１９００においては、第１直線部１９３０は、第１と第２の屈曲部１９３２と１９３４を有し、相対的に下方の平面に位置づけられた下方直線部１９３１と、第１の屈曲部１９３２を介して曲げられて下方直線部１９３１から上方に延びる斜め上方直線部１９３３と、第２の屈曲部１９３４を介して曲げられて斜め上方直線部１９３３に連続し下方平面よりも相対的に上方の平面に位置づけられた上方直線部１９３５とを含む。この上方直線部１９３５に連結部１９７０は連続している。
【０１７６】
第４直線部１９６０は、第３と第４の屈曲部１９６２と１９６４を有し、相対的に上方の平面に位置づけられた上方直線部１９６１と、第３の屈曲部１９６２を介して曲げられて上方直線部１９６１から下方に延びる斜め下方直線部１９６３と、第４の屈曲部１９６４を介して曲げられて斜め下方直線部１９６３に連続し上方平面よりも相対的に下方の平面に位置づけられた下方直線部１９６５とを含む。この下方直線部１９６５に連結部１９７０は連続している。
【０１７７】
この場合、連結部１９７０は、第４直線部１９６０の下方直線部１９６５に連続して相対的に上方に旋回する上方旋回部１９７１、１９７２と、この上方旋回部１９７２に連続して相対的に下方に旋回した後に第１直線部１９３０の上方直線部１９３５に連続する下方旋回部１９７３、１９７４とからなる環状部を有する。
【０１７８】
クリップ１９００のその他の構成は、図１２に示すクリップ１２００の構成と同様である。
【０１７９】
図２３に示されるクリップ１９００は、図１２のクリップ１２００と同様の作用効果に付け加えて以下の作用効果を奏する。
【０１８０】
図２５はこの発明のクリップ１９００で紙片を挟み込んだ使用状態を示す図である。
【０１８１】
図２５に示すように、クリップ１９００で紙片５０を挟んだ場合に、連結部１９７０を構成する上方旋回部１９７１、１９７２と下方旋回部１９７３、１９７４が交差した箇所が紙片５０の端部に接触するまで、紙片５０の表面に沿ってクリップ１９００を移動させることによって、複数枚の紙片５０を挟み固定することができる。これにより、上記の交差した箇所をクリップ１９００の紙片に対する差し込みストッパとして用いることができる。
【０１８２】
また、この場合、クリップ１９００で紙片５０を挟んだ状態において、連結部１９７０を構成する上方旋回部１９７１、１９７２と下方旋回部１９７３、１９７４が交差した箇所が紙片５０の端部に接触し、環状部は紙片５０の端部から突出した位置にある。このため、この突出した位置にある環状部に付箋または針金１１０付きの紙製札１００を引っ掛けることができる。なお、付箋または針金１１０付きの紙製札１００を引っ掛けることができるようにするために、上方旋回部１９７１、１９７２と下方旋回部１９７３、１９７４とからなる環状部に代えて、ほぼ同一平面上に位置づけられた旋回部からなるほぼ円形状の環状部を形成してもよく、たとえば、図１８に示されるクリップ１５００の長手方向の他方側に形成された連結部１５７０に示されるような、ほぼ円形状の環状部を形成してもよい。
【０１８３】
図２６はこの発明のクリップの第１６の実施の形態を示す平面図（Ａ）と正面図（Ｂ）である。
【０１８４】
図２６に示すように、クリップ２０００は弾性を有する線材からなるクリップである。この発明のクリップ２０００は、第１湾曲部２０１０と第２湾曲部２０２０と、第１直線部２０３０と第２直線部２０４０と、第３直線部２０５０と第４直線部２０６０と、連結部２０７０とを備える。第１直線部２０３０と第４直線部２０６０は、それぞれ、ベース直線部２０３１、２０６１と屈曲部２０３２、２０６２と斜方直線部２０３３、２０６３とを有する。第２直線部２０４０と第３直線部２０５０は、それぞれ、末端縁２０４１、２０５１を有する。
【０１８５】
図２０に示されるクリップ１７００と異なり、第１直線部２０３０は長手方向の一方側にて、すなわち、第１湾曲部２０１０に近い側にて屈曲部２０３５、２０３７、２０３９を有し、第４直線部２０６０は長手方向の一方側にて、すなわち、第２湾曲部２０２０に近い側にて屈曲部２０６５、２０６７、２０６９を有する。
【０１８６】
第１直線部２０３０は、屈曲部２０３５を介して曲げられてベース直線部２０３１からクリップの外側に向かって延びる斜方直線部２０３６と、クリップの最外側に位置する屈曲部２０３７を介して逆方向に曲げられてクリップの内側に向かって延びる斜方直線部２０３８とを有し、屈曲部２０３９を介して斜方直線部２０３８とベース直線部２０３１とが接続されている。第４直線部２０６０は、屈曲部２０６５を介して曲げられてベース直線部２０６１からクリップの外側に向かって延びる斜方直線部２０６６と、クリップの最外側に位置する屈曲部２０６７を介して逆方向に曲げられてクリップの内側に向かって延びる斜方直線部２０６８とを有し、屈曲部２０６９を介して斜方直線部２０６８とベース直線部２０６１とが接続されている。
【０１８７】
これらの屈曲部を介して、第１直線部２０３０と第４直線部２０６０は、ほぼ同一平面上で水平方向に曲げられてもよく、垂直方向、すなわち、上方または下方に曲げられてもよい。
【０１８８】
また、クリップ２０００においては、第１直線部２０３０と第２直線部２０４０が上方に曲げられることにより、第１湾曲部２０１０が第２湾曲部２０２０から離れた上方の位置に位置づけられるだけでなく、第３直線部２０５０と第４直線部２０６０が下方に曲げられることにより、第２湾曲部２０２０が第１湾曲部２０１０から離れた下方の位置に位置づけられており、第１湾曲部２０１０と第２湾曲部２０２０との間の距離が広くなっている。
【０１８９】
クリップ２０００のその他の構成は、図２０に示すクリップ１７００の構成と同様である。
【０１９０】
図２６に示されるクリップ２０００は、図１７のクリップ１７００と同様の作用効果に付け加えて以下の作用効果を奏する。
【０１９１】
種々の屈曲部２０３５、２０３７、２０３９が第１湾曲部２０１０側に位置する第１直線部２０３０に形成され、種々の屈曲部２０６５、２０６７、２０６９が第２湾曲部２０２０側に位置する第４直線部２０６０に形成されることにより、線材に加工硬化をもたらすことができる。このため、第１湾曲部２０１０と第２湾曲部２０２０とによって紙片を挟み込んだ場合に従来のクリップよりも大きな挟み力を発生させることができる。これにより、クリップの紙片等に対する挟持力を高めることができる。言い換えれば、少なくとも複数の屈曲部を形成することによって第１湾曲部２０１０に近い側に位置する第１直線部２０３０を凹凸状に曲がった形状にし、少なくとも複数の屈曲部を形成することによって第２湾曲部２０２０に近い側に位置する第４直線部２０６０を凹凸状に曲がった形状にすれば、上記の作用効果を達成することができる。
【０１９２】
なお、上述したこの発明の種々の実施の形態のクリップは、金属、合金製の針金等の弾性を有する線材から形成されるだけでなく、合成樹脂製の弾性を有する線材から形成されてもよい。
【０１９３】
また、上述したこの発明の種々の実施の形態のクリップにおいて、第１直線部と第４直線部のそれぞれは、長手方向の他方側にて、すなわち、連結部に近い側にて屈曲部を介して上方および／または下方に曲げられるとともに、第１直線部と第４直線部の間隔が広がるように、外側に延びるように構成され、連結部の長さが第１直線部と第４直線部の間隔よりも大きくなるように構成されてもよい。この場合、より厚い紙片をクリップで挟むことができる。
【０１９４】
さらに、上述したこの発明の種々の実施の形態のクリップでは、第１直線部と第４直線部のそれぞれは、長手方向の他方側にて、すなわち、連結部に近い側にて屈曲部を介して上方および／または下方に曲げられているが、屈曲部を介して水平方向に凹凸状に曲がった形状にしてもよく、また水平方向にジグザグ状に曲げられてもよい。この場合、クリップでより厚い紙片を繰り返し挟み込んでも、クリップの紙片に対する挟持力を低下させることがなく、材料の疲労を緩和することができるので、クリップの使用寿命を高めることができる。
【０１９５】
上述したこの発明の種々の実施の形態のクリップにおいては、種々の直線部と屈曲部との境界が明確になるように図示されて説明されているが、種々の直線部と屈曲部とが滑らかに連続するように形成されていてもよい。
【０１９６】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【０１９７】
【図１】この発明のクリップの第１の実施の形態を示す平面図（Ａ）、正面図（Ｂ）、および、紙を挟んだ状態のクリップを示す、平面図（Ａ）のＣ−Ｃ線における断面図（Ｃ）である。
【図２】クリップの従来の形態１を示す平面図（Ａ）、正面図（Ｂ）、および、紙を挟んだ状態のクリップを示す、平面図（Ａ）のＣ−Ｃ線における断面図（Ｃ）である。
【図３】この発明のクリップの第２の実施の形態を示す平面図（Ａ）と正面図（Ｂ）である。
【図４】クリップの従来の形態２を示す平面図（Ａ）と正面図（Ｂ）である。
【図５】この発明のクリップの第３の実施の形態を示す平面図（Ａ）と正面図（Ｂ）である。
【図６】クリップの従来の形態３を示す平面図（Ａ）と正面図（Ｂ）である。
【図７】この発明のクリップの第４の実施の形態を示す平面図（Ａ）と正面図（Ｂ）である。
【図８】クリップの従来の形態４を示す平面図（Ａ）と正面図（Ｂ）である。
【図９】この発明のクリップの第５の実施の形態を示す平面図（Ａ）と正面図（Ｂ）である。
【図１０】この発明のクリップの第６の実施の形態を示す平面図（Ａ）と正面図（Ｂ）である。
【図１１】この発明のクリップの第７の実施の形態を示す平面図（Ａ）と正面図（Ｂ）である。
【図１２】この発明のクリップの第８の実施の形態を示す平面図（Ａ）と正面図（Ｂ）である。
【図１３】この発明のクリップの第７の実施の形態で紙片を挟み込んだ使用状態を示す図である。
【図１４】この発明のクリップの第８の実施の形態で紙片を挟み込んだ使用状態を示す図である。
【図１５】この発明のクリップの第９の実施の形態を示す平面図（Ａ）と正面図（Ｂ）である。
【図１６】この発明のクリップの第９の実施の形態で紙片を挟み込んだ使用状態を示す図である。
【図１７】この発明のクリップの第１０の実施の形態を示す平面図（Ａ）と正面図（Ｂ）である。
【図１８】この発明のクリップの第１１の実施の形態を示す平面図（Ａ）と正面図（Ｂ）である。
【図１９】この発明のクリップの第１２の実施の形態を示す平面図（Ａ）と正面図（Ｂ）である。
【図２０】この発明のクリップの第１３の実施の形態を示す平面図（Ａ）と正面図（Ｂ）である。
【図２１】この発明のクリップの第１３の実施の形態で紙片を挟み込む前と挟み込んだ後の使用状態を示す図（Ａ）と（Ｂ）である。
【図２２】この発明のクリップの第１４の実施の形態を示す平面図（Ａ）と正面図（Ｂ）である。
【図２３】この発明のクリップの第１５の実施の形態を示す平面図（Ａ）と正面図（Ｂ）である。
【図２４】この発明のクリップの第１４の実施の形態で紙片を挟み込んだ使用状態を示す図である。
【図２５】この発明のクリップの第１５の実施の形態で紙片を挟み込んだ使用状態を示す図である。
【図２６】この発明のクリップの第１６の実施の形態を示す平面図（Ａ）と正面図（Ｂ）である。
【符号の説明】
【０１９８】
１００：クリップ、１１０：第１湾曲部、１２０：第２湾曲部、１３０：第１直線部、１３１，１６１：ベース直線部、１３２，１６２：屈曲部、１３３，１６３：斜方直線部、１４０：第２直線部、１４１，１５１：末端縁、１５０：第３直線部、１６０：第４直線部、１７０：連結部。
【図１】
2007038428.tif 000003
【図２】
2007038428.tif 000004
【図３】
2007038428.tif 000005
【図４】
2007038428.tif 000006
【図５】
2007038428.tif 000007
【図６】
2007038428.tif 000008
【図７】
2007038428.tif 000009
【図８】
2007038428.tif 000010
【図９】
2007038428.tif 000011
【図１０】
2007038428.tif 000012
【図１１】
2007038428.tif 000013
【図１２】
2007038428.tif 000014
【図１３】
2007038428.tif 000015
【図１４】
2007038428.tif 000016
【図１５】
2007038428.tif 000017
【図１６】
2007038428.tif 000018
【図１７】
2007038428.tif 000019
【図１８】
2007038428.tif 000020
【図１９】
2007038428.tif 000021
【図２０】
2007038428.tif 000022
【図２１】
2007038428.tif 000023
【図２２】
2007038428.tif 000024
【図２３】
2007038428.tif 000025
【図２４】
2007038428.tif 000026
【図２５】
2007038428.tif 000027
【図２６】
2007038428.tif 000028
【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
弾性を有する線材からなるクリップであって、
長手方向の一方側に位置し、線材がほぼＵ字形状に曲げられて形成された第１および第２の湾曲部と、
前記第１の湾曲部の両端から長手方向の他方側に向かって線材が間隔をあけてほぼ直線状に延びるように形成された第１および第２の直線部と、
前記第２の湾曲部の両端から長手方向の他方側に向かって線材が間隔をあけてほぼ直線状に延びるように形成された第３および第４の直線部と、
前記第１の直線部と前記第４の直線部とを長手方向の他方側にて連結し、前記第１の直線部と前記第４の直線部との間の間隔を跨ぐように延びる連結部とを備え、
前記第１の直線部は前記第１の湾曲部から前記連結部に至るまで前記第３の直線部に近接して延び、前記第４の直線部は前記第２の湾曲部から前記連結部に至るまで前記第２の直線部に近接して延びており、
前記第２の直線部と前記第３の直線部は長手方向の他方側にて線材の末端縁を有しており、
前記第１の湾曲部または前記第１の直線部が前記第２の湾曲部または前記第３の直線部の上に延びて交差することにより、前記第２の直線部と前記第３の直線部の末端縁は、前記第１の直線部と前記第４の直線部と前記連結部とによって取り囲まれた領域内に位置づけられている、クリップ。
【請求項２】
弾性を有する線材からなるクリップであって、
長手方向の一方側に位置し、線材がほぼＵ字形状に曲げられて形成された第１および第２の湾曲部と、
前記第１の湾曲部の両端から長手方向の他方側に向かって線材が間隔をあけてほぼ直線状に延びるように形成された第１および第２の直線部と、
前記第２の湾曲部の両端から長手方向の他方側に向かって線材が間隔をあけてほぼ直線状に延びるように形成された第３および第４の直線部と、
前記第１の直線部と前記第４の直線部とを長手方向の他方側にて連結し、前記第１の直線部と前記第４の直線部との間の間隔を跨ぐように延びる連結部とを備え、
前記第１の直線部は前記第１の湾曲部から前記連結部に至るまで前記第３の直線部に近接して延び、前記第４の直線部は前記第２の湾曲部から前記連結部に至るまで前記第２の直線部に近接して延びており、
前記第２の直線部と前記第３の直線部は長手方向の他方側にて線材の末端縁を有しており、
前記第１の湾曲部または前記第１の直線部が前記第２の湾曲部または前記第３の直線部の上に延びて交差することにより、前記第２の直線部と前記第３の直線部の末端縁は、前記第１の直線部と前記第４の直線部と前記連結部とによって取り囲まれた領域内に位置づけられており、
前記第１の湾曲部は、長手方向において前記第２の湾曲部とほぼ同じ位置に、または、長手方向において前記第２の湾曲部に近接した位置に位置づけられ、前記第１の直線部と前記第２の直線部が上方に曲げられることにより、前記第１の湾曲部は前記第２の湾曲部から離れた上方の位置に位置づけられており、
前記第１の直線部または前記第４の直線部の少なくともいずれかは長手方向の他方側にて屈曲部を有する、クリップ。
【請求項３】
前記第１の湾曲部と前記第２の湾曲部との間の長手方向の間隔は、線材の直径以下である、請求項２に記載のクリップ。
【請求項４】
前記第１の直線部または前記第４の直線部の少なくともいずれかは、単一の屈曲部を有し、ベース直線部と、前記単一の屈曲部を介して曲げられて前記ベース直線部から上方に延びる斜方直線部とを含み、この斜方直線部に前記連結部は連続している、請求項２または請求項３に記載のクリップ。
【請求項５】
前記第１の直線部または前記第４の直線部の一方は、第１の屈曲部を有し、ベース直線部と、前記第１の屈曲部を介して曲げられて前記ベース直線部から上方に延びる斜め上方直線部とを含み、この斜め上方直線部に前記連結部は連続し、
前記第１の直線部または前記第４の直線部の他方は、第２の屈曲部を有し、ベース直線部と、前記第２の屈曲部を介して曲げられて前記ベース直線部から下方に延びる斜め下方直線部とを含み、この斜め下方直線部に前記連結部は連続している、請求項２または請求項３に記載のクリップ。
【請求項６】
前記第１の直線部または前記第４の直線部の少なくともいずれかは、第１と第２の屈曲部を有し、相対的に下方の平面に位置づけられた下方直線部と、前記第１の屈曲部を介して曲げられて前記下方直線部から上方に延びる斜方直線部と、前記第２の屈曲部を介して曲げられて前記斜方直線部に連続し前記下方平面よりも相対的に上方の平面に位置づけられた上方直線部とを含み、この上方直線部に前記連結部は連続している、請求項２または請求項３に記載のクリップ。
【請求項７】
前記第１の直線部または前記第４の直線部の一方は、第１と第２の屈曲部を有し、相対的に下方の平面に位置づけられた下方直線部と、前記第１の屈曲部を介して曲げられて前記下方直線部から上方に延びる斜め上方直線部と、前記第２の屈曲部を介して曲げられて前記斜め上方直線部に連続し前記下方平面よりも相対的に上方の平面に位置づけられた上方直線部とを含み、この上方直線部に前記連結部は連続し、
前記第１の直線部または前記第４の直線部の他方は、第３と第４の屈曲部を有し、相対的に上方の平面に位置づけられた上方直線部と、前記第３の屈曲部を介して曲げられて前記上方直線部から下方に延びる斜め下方直線部と、前記第４の屈曲部を介して曲げられて前記斜め下方直線部に連続し前記上方平面よりも相対的に下方の平面に位置づけられた下方直線部とを含み、この下方直線部に前記連結部は連続している、請求項２または請求項３に記載のクリップ。
【請求項８】
前記第４の直線部は、第１と第２の屈曲部を有し、相対的に下方の平面に位置づけられた下方直線部と、前記第１の屈曲部を介して曲げられて前記下方直線部から上方に延びる斜め上方直線部と、前記第２の屈曲部を介して曲げられて前記斜め上方直線部に連続し前記下方平面よりも相対的に上方の平面に位置づけられた上方直線部とを含み、この上方直線部に前記連結部は連続し、
前記第１の直線部は、第３と第４の屈曲部を有し、相対的に上方の平面に位置づけられた上方直線部と、前記第３の屈曲部を介して曲げられて前記上方直線部から下方に延びる斜め下方直線部と、前記第４の屈曲部を介して曲げられて前記斜め下方直線部に連続し前記上方平面よりも相対的に下方の平面に位置づけられた下方直線部とを含み、この下方直線部に前記連結部は連続し、
前記連結部は、前記第１の直線部の下方直線部に連続して相対的に上方に旋回する上方旋回部と、この上方旋回部に連続して相対的に下方に旋回した後に前記第４の直線部の上方直線部に連続する下方旋回部とからなる環状部を有する、請求項２または請求項３に記載のクリップ。
【請求項９】
前記第１の直線部は、第１と第２の屈曲部を有し、相対的に下方の平面に位置づけられた下方直線部と、前記第１の屈曲部を介して曲げられて前記下方直線部から上方に延びる斜め上方直線部と、前記第２の屈曲部を介して曲げられて前記斜め上方直線部に連続し前記下方平面よりも相対的に上方の平面に位置づけられた上方直線部とを含み、この上方直線部に前記連結部は連続し、
前記第４の直線部は、第３と第４の屈曲部を有し、相対的に上方の平面に位置づけられた上方直線部と、前記第３の屈曲部を介して曲げられて前記上方直線部から下方に延びる斜め下方直線部と、前記第４の屈曲部を介して曲げられて前記斜め下方直線部に連続し前記上方平面よりも相対的に下方の平面に位置づけられた下方直線部とを含み、この下方直線部に前記連結部は連続し
前記連結部は、前記第４の直線部の下方直線部に連続して相対的に上方に旋回する上方旋回部と、この上方旋回部に連続して相対的に下方に旋回した後に前記第１の直線部の上方直線部に連続する下方旋回部とからなる環状部を有する、請求項２または請求項３に記載のクリップ。
【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
弾性を有する線材からなるクリップであって、
長手方向の一方側に位置し、線材がほぼＵ字形状に曲げられて形成された第１および第２の湾曲部と、
前記第１の湾曲部の両端から長手方向の他方側に向かって線材が間隔をあけてほぼ直線状に延びるように形成された第１および第２の直線部と、
前記第２の湾曲部の両端から長手方向の他方側に向かって線材が間隔をあけてほぼ直線状に延びるように形成された第３および第４の直線部と、
前記第１の直線部と前記第４の直線部とを長手方向の他方側にて連結し、前記第１の直線部と前記第４の直線部との間の間隔を跨ぐように延びる連結部とを備え、
前記第１の直線部は前記第１の湾曲部から前記連結部に至るまで前記第３の直線部に近接して延び、前記第４の直線部は前記第２の湾曲部から前記連結部に至るまで前記第２の直線部に近接して延びており、
前記第２の直線部と前記第３の直線部は長手方向の他方側にて線材の末端縁を有しており、
前記第１の湾曲部または前記第１の直線部が前記第２の湾曲部または前記第３の直線部の上に延びて交差することにより、前記第２の直線部と前記第３の直線部の末端縁は、前記第１の直線部と前記第４の直線部と前記連結部とによって取り囲まれた領域内に位置づけられており、
前記第１の湾曲部は、長手方向において前記第２の湾曲部とほぼ同じ位置に、または、長手方向において前記第２の湾曲部に線材の直径以下の間隔で近接した位置に位置づけられ、前記第１の直線部と前記第２の直線部が上方に曲げられることにより、前記第１の湾曲部は前記第２の湾曲部から離れた上方の位置に位置づけられており、
前記第１の直線部と前記第３の直線部とは密接して平行に延び、前記第２の直線部と前記第４の直線部とは密接して平行に延びている、クリップ。
【請求項２】
前記第１の直線部または前記第４の直線部の少なくともいずれかは、屈曲部と、ベース直線部と、前記屈曲部を介して曲げられて前記ベース直線部から上方に延びる斜方直線部とを含み、この斜方直線部に前記連結部は連続している、請求項１に記載のクリップ。
【請求項３】
前記第１の直線部または前記第４の直線部の少なくともいずれかは、第１と第２の屈曲部と、相対的に下方の平面に位置づけられた下方直線部と、前記第１の屈曲部を介して曲げられて前記下方直線部から上方に延びる斜方直線部と、前記第２の屈曲部を介して曲げられて前記斜方直線部に連続し前記下方平面よりも相対的に上方の平面に位置づけられた上方直線部とを含み、この上方直線部に前記連結部は連続している、請求項１に記載のクリップ。
【請求項４】
前記連結部は、前記第１の直線部に連続して相対的に上方に旋回する上方旋回部と、この上方旋回部に連続して相対的に下方に旋回した後に前記第４の直線部に連続する下方旋回部とからなる環状部を有する、請求項２または請求項３に記載のクリップ。
【手続補正２】
【補正対象書類名】明細書
【補正対象項目名】００１３
【補正方法】変更
【補正の内容】
【００１３】
第１の湾曲部は、長手方向において第２の湾曲部とほぼ同じ位置に、または、長手方向において第２の湾曲部に線材の直径以下の間隔で近接した位置に位置づけられている。第１の直線部と第２の直線部が上方に曲げられることにより、第１の湾曲部は第２の湾曲部から離れた上方の位置に位置づけられている。
【手続補正３】
【補正対象書類名】明細書
【補正対象項目名】００１４
【補正方法】変更
【補正の内容】
【００１４】
第１の直線部と第３の直線部とは密接して平行に延び、第２の直線部と第４の直線部とは密接して平行に延びている。
【手続補正４】
【補正対象書類名】明細書
【補正対象項目名】００１５
【補正方法】変更
【補正の内容】
【００１５】
まず、この発明のクリップにおいては、長手方向の一方側では、第１の湾曲部は、長手方向において第２の湾曲部とほぼ同じ位置に、または、長手方向において第２の湾曲部に近接した位置に位置づけられている。第１の直線部と第２の直線部が上方に曲げられることにより、長手方向の一方側にて、第１の湾曲部は第２の湾曲部から離れた上方の位置に位置づけられている。これに対して、長手方向の他方側では、第１の直線部と第４の直線部とを連結する連結部が位置づけられている。
【手続補正５】
【補正対象書類名】明細書
【補正対象項目名】００１６
【補正方法】変更
【補正の内容】
【００１６】
このように、長手方向の一方側では、第１の湾曲部と第２の湾曲部がほぼ同じ位置に、または線材の直径以下の間隔で近接した位置にあり、すなわち、二本の線材のループがほぼ同じ位置に、または近接した位置にあるのに対し、長手方向の他方側では、連結部があり、すなわち、一本の線材のループがある。
【手続補正６】
【補正対象書類名】明細書
【補正対象項目名】００１７
【補正方法】変更
【補正の内容】
【００１７】
本発明のクリップにおいては、長手方向の一方側と他方側とが上記のように異なった形態で構成されている。このため、目の不自由な人や老眼の人にとっては、一本の線材のループに連結される側と異なり、二本の線材のループがほぼ同じ位置で、または近接した位置で重なっている側が紙片の端部を挿入する側であることを指先の触感で容易に確認することができる。これにより、連結部を構成する一本の線材のループの側を容易に確認することができ、連結部を構成する一本の線材のループを指先で掴んで、この連結部と反対側で、二本の線材のループがほぼ同じ位置で、または近接した位置で重なっている側に、紙片の端部を挿入して、紙片の端部を挟み込む動作を容易に行うことができる。
【手続補正７】
【補正対象書類名】明細書
【補正対象項目名】００２０
【補正方法】削除
【補正の内容】
【手続補正８】
【補正対象書類名】明細書
【補正対象項目名】００２５
【補正方法】変更
【補正の内容】
【００２５】
この発明のクリップにおいては、第１の湾曲部と第２の湾曲部との間の長手方向の間隔を線材の直径以下にすることにより、長手方向の一方側では、第１と第２の湾曲部、すなわち、二本の線材のループをほぼ同じ位置で、または、より近接した位置で重ならせることができるので、クリップをより小型にすることができ、所定の大きさのクリップを製造するのに必要な線材の量を節約することができる。
【手続補正９】
【補正対象書類名】明細書
【補正対象項目名】００２６
【補正方法】変更
【補正の内容】
【００２６】
また、この場合、目の不自由な人や老眼の人にとっては、一本の線材のループに連結される側と異なり、二本の線材のループがほぼ同じ位置で、または、より近接した位置で重なっている側が紙片の端部を挿入する側であることを指先の触感でより容易に確認することができる。
【手続補正１０】
【補正対象書類名】明細書
【補正対象項目名】００２７
【補正方法】変更
【補正の内容】
【００２７】
この発明のクリップにおいては、第１の直線部または第４の直線部の少なくともいずれかは、屈曲部と、ベース直線部と、屈曲部を介して曲げられてベース直線部から上方に延びる斜方直線部とを含み、この斜方直線部に連結部は連続しているのが好ましい。
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】変更
【補正の内容】
【００３５】
また、この発明のクリップにおいては、第１の直線部または第４の直線部の少なくともいずれかは、第１と第２の屈曲部と、相対的に下方の平面に位置づけられた下方直線部と、第１の屈曲部を介して曲げられて下方直線部から上方に延びる斜方直線部と、第２の屈曲部を介して曲げられて斜方直線部に連続し下方平面よりも相対的に上方の平面に位置づけられた上方直線部とを含み、この上方直線部に連結部は連続しているのが好ましい。
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】変更
【補正の内容】
【００４２】
さらに、この発明のクリップにおいては、連結部は、第１の直線部に連続して相対的に上方に旋回する上方旋回部と、この上方旋回部に連続して相対的に下方に旋回した後に第４の直線部に連続する下方旋回部とからなる環状部を有するのが好ましい。
【手続補正２１】
【補正対象書類名】明細書
【補正対象項目名】００４３
【補正方法】変更
【補正の内容】
【００４３】
このようにすることにより、連結部を構成する上方旋回部と下方旋回部とからなる環状部も応力緩和手段として作用する。このため、クリップの使用頻度が高くなっても、材料の疲労をさらに緩和することができ、結果として疲労限度をより高めることができる。これにより、クリップの使用頻度が高くなっても、クリップの紙片に対する挟持力を低下させることがないので、クリップの使用寿命をさらに高めることができる。
【手続補正２２】
【補正対象書類名】明細書
【補正対象項目名】００４４
【補正方法】削除
【補正の内容】
【手続補正２３】
【補正対象書類名】明細書
【補正対象項目名】００４５
【補正方法】削除
【補正の内容】
【手続補正２４】
【補正対象書類名】明細書
【補正対象項目名】００４６
【補正方法】削除
【補正の内容】
【手続補正２５】
【補正対象書類名】明細書
【補正対象項目名】００４７
【補正方法】削除
【補正の内容】
【手続補正２６】
【補正対象書類名】明細書
【補正対象項目名】００４８
【補正方法】削除
【補正の内容】